(57)【要約】【課題】本発明は、操作が直感的でわかりやすい画像形成装置の操作端末を提供する。【解決手段】出力用紙上にレイアウトされた画像がプレビュー表示された操作端末１００で、表裏面のタッチパネルへの同時タッチ操作に対する２箇所の座標位置が同じか否か判定し、且つ当該位置がステープル綴じ可能領域内にあるか判定する。いずれかの条件を満たす場合には、当該位置にステープル処理が行われる。【選択図】図５Ａ
2014096141.tif 000002
【特許請求の範囲】
【請求項１】
画像及び設定画面を表示する表示部と、
前記表示部の表面に重ねて配置され、ユーザの指による操作を検出する第１タッチパネルと、
前記表示部の裏面側に配置され、ユーザの他の指による操作を検出する第２タッチパネルと、
画像形成装置と通信してデータ及び指示を送受信する通信手段と、
画像形成装置から送信されたプレビュー画像を前記表示部に表示させる画像表示手段と、
前記画像表示手段により前記表示部にプレビュー画像が表示されている際に、前記第１、第２タッチパネルに対するユーザの操作を受け付けて画像形成装置に対する指示を生成し、前記通信手段を介して画像形成装置に送信させる制御手段とを備えることを特徴とする画像形成装置の操作端末。
【請求項２】
前記制御手段は、前記第１タッチパネルに対するユーザの操作と前記第２タッチパネルに対するユーザの操作とが検出された場合に、前記画像形成装置、及び前記画像形成装置に接続された後処理装置による処理の設定を指示することを特徴とする請求項１に記載の画像形成装置の操作端末。
【請求項３】
前記制御手段は、前記第１タッチパネルにより検出された第１のタッチ操作の座標と前記第２タッチパネルにより検出された第２のタッチ操作の座標とが同一で、且つ前記第１、第２のタッチ操作が同時に検出された場合、前記後処理装置に対するステープル綴じ処理の設定を指示することを特徴とする請求項２に記載の画像形成装置の操作端末。
【請求項４】
前記制御手段は、前記第１、第２のタッチ操作の座標が、予め設定されたステープル綴じ可能領域内にあるときは、当該座標で示される位置をステープル綴じ位置に設定することを特徴とする請求項３に記載の画像形成装置の操作端末。
【請求項５】
前記制御手段は、前記第１タッチパネルにより検出された第１のタッチ操作の座標と前記第２タッチパネルにより検出された第２のタッチ操作の座標とが同一で、且つ前記第１、第２のタッチ操作が同時に検出された場合、ステープル綴じ位置を指定するためのウィンドウをプレビュー画像に重ねて表示し、当該ウィンドウに含まれるボタンに対する前記第１タッチパネルへの第３のタッチ操作に基づいてステープル綴じ位置を指示することを特徴とする請求項３に記載の画像形成装置の操作端末。
【請求項６】
前記制御手段は、前記第１タッチパネルに対する第１のスワイプ操作と前記第２タッチパネルに対する第２のスワイプ操作とが同時に検出された場合、前記後処理装置に対する製本綴じ処理の設定を指示することを特徴とする請求項２に記載の画像形成装置の操作端末。
【請求項７】
前記制御手段は、前記第１、第２のスワイプ操作の軌跡が、予め設定されたスワイプ操作検出領域に含まれるときは、当該領域に対応する位置を製本綴じ位置とすることを特徴とする請求項６に記載の画像形成装置の操作端末。
【請求項８】
前記制御手段は、前記第１タッチパネルに対する第１のスワイプ操作と前記第２タッチパネルに対する第２のスワイプ操作とが同時に検出された場合、製本綴じ位置を指定するためのウィンドウをプレビュー画像に重ねて表示し、当該ウィンドウに含まれるボタンに対する前記第１タッチパネルへのタッチ操作に基づいて製本綴じ位置を指示することを特徴とする請求項６に記載の画像形成装置の操作端末。
【請求項９】
前記制御手段は、前記第１タッチパネルに対する第１のタッチ操作と前記第２タッチパネルに対する第２のタッチ操作とが同時に検出された状態で、別の座標で前記第１、第２タッチパネルのいずれか一方に対するスワイプ操作を検出した場合に、後処理装置に対する中折り処理の設定を指示することを特徴とする請求項２に記載の画像形成装置の操作端末。
【請求項１０】
前記制御手段は、前記第１タッチパネルに対するスワイプ操作を検出した場合には谷折り、前記第２タッチパネルに対するスワイプ操作を検出した場合には山折りに設定することを特徴とする請求項９に記載の画像形成装置の操作端末。
【請求項１１】
前記制御手段は、前記第２タッチパネルに対して別の座標で２つのタッチ操作が検出され、前記第１タッチパネルに対して別の座標で２つのスワイプ操作が検出された場合、前記後処理装置に対する中綴じ処理の設定を指示することを特徴とする請求項２に記載の画像形成装置の操作端末。
【請求項１２】
前記制御手段は、前記スワイプ操作の方向により、中綴じの際の折りを谷折り及び山折りから選択して指示することを特徴とする請求項１１に記載の画像形成装置の操作端末。
【請求項１３】
前記制御手段は、前記スワイプ操作が検出された後に、中綴じの際の折り方向を谷折り及び山折りから選択するためのウィンドウをプレビュー画像に重ねて表示し、当該ウィンドウに含まれるボタンに対する前記第１タッチパネルへのタッチ操作に基づいて折り方向を指示することを特徴とする請求項１１に記載の画像形成装置の操作端末。
【請求項１４】
前記制御手段は、前記第１、第２タッチパネルに対する同一座標での同時タッチが所定時間内に連続して検出された場合に、後処理装置に対するパンチ穴開け処理の設定を指示することを特徴とする請求項２に記載の画像形成装置の操作端末。
【請求項１５】
前記制御手段は、前記第１、第２タッチパネルに対する連続した同時タッチの座標が、予め設定されたパンチ穴開け設定可能領域に含まれているときは、当該座標で示される位置をパンチ穴開け位置に設定することを特徴とする請求項１４に記載の画像形成装置の操作端末。
【請求項１６】
前記制御手段は、前記第１、第２タッチパネルに対する同一座標での同時タッチが所定時間内に連続して検出された場合に、パンチ穴開け位置を設定するためのウィンドウをプレビュー画像に重ねて表示し、当該ウィンドウに含まれるボタンに対する前記第１タッチパネルへのタッチ操作に基づいてパンチ穴開け位置を指定することを特徴とする請求項１４に記載の画像形成装置の操作端末。
【請求項１７】
画像及び設定画面を表示する表示部と、前記表示部の表面に重ねて配置され、ユーザの指による操作を検出する第１タッチパネルと、前記表示部の裏面側に配置され、ユーザの他の指による操作を検出する第２タッチパネルとを備える画像形成装置の操作端末の制御方法であって、
画像形成装置から送信されたプレビュー画像を前記表示部に表示させるステップと、
前記表示部にプレビュー画像が表示されている際に、前記第１、第２タッチパネルに対するユーザの操作を受け付けて画像形成装置に対する指示を生成するステップと、
通信手段を介して前記指示を画像形成装置に送信させる制御ステップとを備えることを特徴とする画像形成装置の操作端末の制御方法。
【請求項１８】
請求項１７に記載の制御方法を操作端末に実行させるためのコンピュータに読み取り可能なプログラム。
【請求項１９】
画像データを受け取り用紙に印刷するプリンタ部を有する画像形成装置と、印刷された用紙を製本する製本装置と、印刷された用紙をステープルで綴じて仕分け・載置する仕分け装置と、前記画像形成装置と前記仕分け装置の各装置に対して設定を行う操作端末とを備える画像形成システムであって、
前記操作端末は、表裏面にそれぞれユーザの操作に関する座標情報を取得するタッチセンサを有し、表裏面の座標情報の組み合わせによって前記製本装置もしくは仕分け装置の設定を行うことを特徴とする画像形成システム。
【請求項２０】
前記表裏面のタッチセンサが同時に同じ領域でユーザの操作を検出した場合に、仕分け装置におけるステープル設定を行うことを特徴とする請求項１９に記載の画像形成システム。
【請求項２１】
前記表裏面のタッチセンサでユーザの操作が検知された領域から設定される座標位置を、ステープル処理の位置として決定することを特徴とする請求項２０に記載の画像形成システム。
【請求項２２】
前記表裏面のタッチセンサで連続的に検知されたユーザの操作の座標の軌跡が表裏で同じ領域に入る場合に、製本装置における製本設定を行うことを特徴とする請求項１９に記載の画像形成システム。
【請求項２３】
前記表裏面のタッチセンサで連続的に検知されたユーザの操作の座標値の軌跡から設定される領域を、製本処理位置として決定することを特徴とする請求項２２に記載の画像形成システム。
【請求項２４】
画像データを受け取り用紙に印刷するプリンタ部を有する画像形成装置と、印刷された用紙を折る用紙折り手段、及び、印刷された用紙に対してパンチ穴を開けるパンチ穴開け手段を具備する仕分け装置と、前記画像形成装置と前記仕分け装置の各装置に対して設定を行う操作端末とを備える画像形成システムであって、
前記操作端末は、表裏面にそれぞれユーザの操作に関する座標情報を取得するタッチセンサを有し、表裏面の座標情報の組み合わせによって折り処理もしくはパンチ穴開け処理を設定することを特徴とする画像形成システム。
【請求項２５】
前記表裏面のタッチセンサが同時に同じ領域でユーザの操作を検出した場合で、且つ、表裏のいずれかのタッチセンサで連続的に検知されたユーザの操作の座標が所定の軌跡を取る場合に、仕分け装置によって折り処理を行うことを特徴とする請求項２４に記載の画像形成システム。
【請求項２６】
裏面のタッチセンサに対して異なる複数の座標でユーザの操作を検出し、且つ、表面のタッチセンサに対して異なる複数の座標で連続的に検知されたユーザの操作の座標が所定の軌跡を取る場合に、仕分け装置によって折り処理を行うことを特徴とする請求項２４に記載の画像形成システム。
【請求項２７】
前記表面のタッチセンサに対して異なる複数の座標で連続的に検知されたユーザの操作の座標の変化の方向により仕分け装置における折り方向を決定し、さらに、前記表面のタッチセンサに対するユーザの操作の座標により中綴じ方法を指定することを特徴とする請求項２６に記載の画像形成システム。
【請求項２８】
前記表面のタッチセンサに対する異なる複数の座標での連続的に検知されたユーザの操作により仕分け装置における折り処理を指定し、さらに、前記表面のタッチセンサに対するユーザの操作の座標により仕分け装置における用紙折り方向を指定することを特徴とする請求項２６に記載の画像形成システム。
【請求項２９】
表裏面のタッチセンサが同時に同じ第１の座標でユーザの操作を検知し、所定時間内に連続的に前記表裏面のタッチセンサが同時に同じ第２の座標でユーザの操作を検知し、かつ、第１、第２の座標が所定の領域内にある場合に、仕分け装置によるパンチ穴開け処理を設定することを特徴とする画像形成システム。
【発明の詳細な説明】
【技術分野】
【０００１】
本発明は、画像形成装置の操作端末及びその制御方法、並びにプログラムに関し、特に、画像形成装置に対して、ユーザが携帯可能な操作端末から各種の処理を設定するための技術に関する。
【背景技術】
【０００２】
従来、印刷物のステープル処理や製本処理等の後処理の内容は、画像形成装置の操作パネルを介して設定される。例えば、タッチパネルを備えた表示部に原稿アイコンを表示し、ユーザがタッチペンにより原稿アイコンの所定位置をタッチすることにより、用紙領域、パンチ穴の位置、ステープル綴じの位置等を指定する設定方法が提案されている（例えば、特許文献１参照）。
【先行技術文献】
【特許文献】
【０００３】
【特許文献１】特開２００９−１１６７８９号公報
【発明の概要】
【発明が解決しようとする課題】
【０００４】
しかしながら、特許文献１に記載された設定方法では、印刷物のアイコンではなく原稿アイコンに対してパンチ穴やステープル綴じの位置を指定する。そのため、特にＮ−ｕｐのようなレイアウト指定を行った場合には、印刷物の向きに合わせて所望の位置を指定するのが難しいという問題がある。
【０００５】
また、従来の多くの画像形成装置は、ユーザにより通常の操作画面が後処理設定用の画面に切り替えられた後に後処理の内容が設定され、複数回の画面の切り替えを必要とし、操作が煩雑でわかりにくい。
【０００６】
本発明は、操作が直感的でわかりやすい画像形成装置の操作端末、その制御方法およびプログラムを提供することを目的とする。
【課題を解決するための手段】
【０００７】
上記目的を達成するために、本発明に係る画像形成装置の操作端末は、画像及び設定画面を表示する表示部と、前記表示部の表面に重ねて配置され、ユーザの指による操作を検出する第１タッチパネルと、前記表示部の裏面側に配置され、ユーザの他の指による操作を検出する第２タッチパネルと、画像形成装置と通信してデータ及び指示を送受信する通信手段と、画像形成装置から送信されたプレビュー画像を前記表示部に表示させる画像表示手段と、前記画像表示手段により前記表示部にプレビュー画像が表示されている際に、前記第１、第２タッチパネルに対するユーザの操作を受け付けて画像形成装置に対する指示を生成し、前記通信手段を介して画像形成装置に送信させる制御手段とを備えることを特徴とする。
【発明の効果】
【０００８】
本発明の操作端末によれば、出力用紙上にレイアウトされた画像がプレビュー表示された操作端末から出力用紙上の所望の位置を指定してに直感的に後処理の内容を設定できるため、操作が簡単で分かりやすい。
【図面の簡単な説明】
【０００９】
【図１】本発明の第１の実施形態に係る操作端末と画像形成装置（ＭＦＰ）の概略構成を示す図である。
【図２】図１の操作端末と画像形成装置の内部構成を示すブロック図である。
【図３】（ａ）〜（ｄ）は第１の実施形態における操作端末の操作方法を示す図である。
【図４】（ａ）〜（ｃ）は第１の実施形態の操作端末におけるステープル綴じ位置の設定方法を示す図である。
【図５Ａ】第１の実施形態における操作端末のステープル綴じ位置の設定処理を示すフローチャートである。
【図５Ｂ】図５Ａに示す処理に対応するＭＦＰにおける印刷処理及びステープル処理を示すフローチャートである。
【図６】第１の実施形態における操作端末の画面に表示されたステープル綴じ可能位置を示す図である。
【図７】（ａ）〜（ｄ）は第２の実施形態の操作端末におけるステープル綴じ位置の設定方法を示す図である。
【図８】第２の実施形態における操作端末のステープル綴じ位置の設定処理を示すフローチャートである。
【図９】（ａ）〜（ｃ），（ｅ），（ｆ）は第３の実施形態における製本綴じ位置を示す図であり、（ｄ）は第３の実施形態の操作端末における表示例を示す図である。
【図１０】（ａ）〜（ｃ）は第３の実施形態の操作端末における製本綴じ位置の設定方法を示す図である。
【図１１Ａ】第３の実施形態の操作端末における製本綴じ位置の設定処理を示すフローチャートである。
【図１１Ｂ】図１１Ａに示す処理に対応するＭＦＰにおける印刷処理及び製本処理を示すフローチャートである。
【図１２】第３の実施形態の操作端末において、製本綴じ位置の設定操作を検出するために表裏面のタッチパネル上に予め設定されたスワイプ操作検出領域を示す図である。
【図１３】（ａ）、（ｂ）は第４の実施形態における操作端末の製本綴じ位置の設定操作方法を示す図である。
【図１４】第４の実施形態の操作端末における製本綴じ位置の設定処理を示すフローチャートである。
【図１５】本発明の第５の実施形態で使用される画像形成装置の構成を示す図である。
【図１６】（ａ）〜（ｆ）は第５の実施形態の操作端末における中折り処理の設定方法を示す図である。
【図１７Ａ】第５の実施形態の操作端末における中折り設定処理を示すフローチャートである。
【図１７Ｂ】図１７Ａに示す処理に対応するＭＦＰにおける印刷処理及び中折り処理を示すフローチャートである。
【図１８】図１６（ｂ）に示す操作でタッチした各タッチパネル上の座標を示す図である。
【図１９】（ａ）〜（ｆ）は第６の実施形態の操作端末における中綴じ処理の設定方法を示す図である。
【図２０】（ａ）、（ｂ）は第６の実施形態における中綴じ処理の内容を示す図である。
【図２１Ａ】第６の実施形態の操作端末における中綴じ設定処理を示すフローチャートである。
【図２１Ｂ】図２１Ａに示す処理に対応するＭＦＰにおける印刷処理及び中綴じ処理を示すフローチャートである。
【図２２】図１９（ｂ）に示す操作でタッチした各タッチパネル上の座標を示す図である。
【図２３】第７の実施形態の操作端末における中折り処理の設定時の表示画面を示す図である。
【図２４】第７の実施形態の操作端末における中折り設定処理を示すフローチャートである。
【図２５】（ａ）〜（ｄ）は第８の実施形態の操作端末におけるパンチ穴開け処理の設定方法を示す図である。
【図２６Ａ】第８の実施形態の操作端末におけるパンチ穴開け設定処理を示すフローチャートである。
【図２６Ｂ】図２６Ａに示す処理に対応するＭＦＰにおける印刷処理及びパンチ穴開け処理を示すフローチャートである。
【図２７】（ａ）〜（ｄ）は、図２５（ｃ）に示す操作でタッチした各タッチパネル上の座標を示す図である。
【図２８】（ａ）〜（ｃ）は第９の実施形態の操作端末におけるパンチ穴開け処理の設定方法を示す図である。
【図２９】第９の実施形態の操作端末におけるパンチ穴開け設定処理を示すフローチャートである。
【発明を実施するための形態】
【００１０】
以下、本発明の実施の形態を図面を参照して詳細に説明する。
【００１１】
［第１の実施形態］
図１は、本発明の第１の実施形態に係る操作端末１００と画像形成装置１０１の概略構成を示す図である。
【００１２】
画像形成装置１０１は、例えば、複写、印刷、ファクシミリ通信、無線通信などの複数の機能を有する多機能印刷機（Ｍｕｌｔｉ  Ｆｕｎｃｔｉｏｎ  Ｐｒｉｎｔｅｒ、ＭＦＰ）である。また、ＭＦＰ１０１の後段には、後処理装置として製本装置１０２及び仕分け装置１０３が接続されている。これらのＭＦＰ１０１、製本装置１０２、仕分け装置１０３により画像形成システムが構成されている。
【００１３】
操作端末１００は、操作部としてＭＦＰ１０１の各種機能に関する操作設定を受け付けたり、表示部として画像を表示したりする機能を有する。また、操作端末１００は、無線通信機能を有し、ＭＦＰ１０１との間で無線通信回線２１２を介して画像データや各種情報を送受信できる。送受信される画像データは、ＭＦＰ１０１で作成された画像データ全般を指しており、例えば、操作端末１００にプレビュー表示する画像データや、操作端末上で印刷等の指示を行うためのメニュー表示等の画像データが含まれる。ユーザＡは、操作端末１００に表示される画像を見ながら、操作端末１００を操作してＭＦＰ１０１での印刷や後処理を指定できる。
【００１４】
本実施形態では、操作端末１００がタブレット端末等の電子端末である場合について説明するが、ＭＦＰ１０１と着脱可能に構成された専用の操作部であってもよい。タブレット端末をＭＦＰ１０１の操作部として利用する場合に必要な制御プログラム等については、タブレット端末が所定の通信方式で外部からダウンロードしたり、所定の記録媒体からインストールしたりする。
【００１５】
製本装置１０２は、ＭＦＰ１０１の後段に接続され、操作端末１００上で設定された製本指示に応じて、ＭＦＰ１０１から搬送された出力用紙の束に対して、ホットメルト方式のくるみ製本処理等を行う機能を有する。
【００１６】
仕分け装置１０３は、製本装置１０２の後段に接続され、製本装置１０２から搬送された出力用紙を所定の用紙載置部に載置する機能を有する。また、仕分け装置１０３は、操作端末１００上で設定されたステープル綴じ位置の指示に応じて、製本装置１０２から搬送された出力用紙の束に対して所定の位置にステープル処理を行い、所定の用紙載置部に載置することも可能である。
【００１７】
次に、図１の操作端末１００とＭＦＰ１０１の内部構成について図２を用いて説明する。
【００１８】
図２は、図１の操作端末１００とＭＦＰ１０１の内部構成を示すブロック図である。
【００１９】
操作端末１００は、第１タッチパネル２００、液晶ディスプレイ２０４、第２タッチパネル２０２、ネットワーク通信部２１０、操作端末制御部２０６、メモリ２０８、及び無線通信用のアンテナ２１１を備える。
【００２０】
第１タッチパネル２００は、タッチ、ドラッグ、ピンチなどのユーザによる操作を検出するマルチタッチ対応のタッチセンサである。第１タッチパネル２００で検出した操作に対応する座標情報は、第１タッチパネルＩ／Ｆ２０１を介して操作端末制御部２０６に送信される。
【００２１】
液晶ディスプレイ２０４は、操作端末制御部２０６から液晶ディスプレイＩ／Ｆ２０５を介して受信した画像データや各種設定画面情報に基づいて、画像や各種設定画面を表示する表示部である。第１タッチパネル２００は透明であり、液晶ディスプレイ２０４の上に重ねて配置され、いわゆるタッチスクリーンを構成する。
【００２２】
第２タッチパネル２０２は、表示部の裏面側に設けられ、第１タッチパネル２００と同様に、ユーザによる操作を検出するマルチタッチ対応のタッチセンサである。第２タッチパネル２０２で検出した操作に対応する座標情報は、第２タッチパネルＩ／Ｆ２０３を介して操作端末制御部２０６に送信される。
【００２３】
操作端末制御部２０６は、不図示のＣＰＵや不揮発性メモリ等を有し、第１タッチパネル２００や第２タッチパネル２０２、液晶ディスプレイ２０４との間で必要なデータや情報を送受信する。具体的には、操作端末制御部２０６は、第１タッチパネル２００や第２タッチパネル２０２から受信した座標情報等をメモリＩ／Ｆ２０７を介してメモリ２０８に一時格納する。メモリ２０８に一時格納された情報は、必要に応じてメモリＩ／Ｆ２０７を介して操作端末制御部２０６に読み出され、ネットワークＩ／Ｆ２０９を介してネットワーク通信部２１０に送られる。そして、ネットワーク通信部２１０からアンテナ２１１を介してＭＦＰ１０１へ送信される。操作端末制御部２０６は、画像表示手段、制御手段としての機能を持つ。
【００２４】
ネットワーク通信部２１０は、ＭＦＰ１０１との間で所定の通信方式（例えば、ＷＬＡＮ通信方式等）により無線通信を行う通信手段である。具体的には、ネットワーク通信部２１０は、画像データ等を転送用のアナログ信号に変換して送信する一方、画像データ等のアナログ信号を受信してデジタル信号に変換する。
【００２５】
ＭＦＰ１０１は、アンテナ２２０、ネットワーク通信部２２１、ＭＦＰ制御部２３０、プリンタ部２２９、内部バス２２２、スキャナ部２２３、画像処理部２２４、操作端末画像生成部２２５、メモリ制御部２２６、及びメモリ２２７を備える。
【００２６】
ネットワーク通信部２２１、スキャナ部２２３、画像処理部２２４、操作端末画像生成部２２５、メモリ制御部２２６、プリンタ部２２９、及びＭＦＰ制御部２３０は、内部バス２２２を介して相互に接続されている。内部バス２２２は、バスマスタによってデータの転送が可能な構成となっている。ＭＦＰ１０１内部におけるバスマスタは、ネットワーク通信部２２１、スキャナ部２２３、画像処理部２２４、操作端末画像生成部２２５、及びプリンタ部２２９であり、いわゆるＤＭＡＣに相当する、メモリとのデータ転送手段を有する。なお、各バスマスタによる上記ＤＭＡＣを用いたメモリ２２７とのデータ転送は、ＭＦＰ制御部２３０に内蔵されるＣＰＵ（不図示）の転送許可によって制御される。
【００２７】
スキャナ部２２３は、不図示の原稿台等に載置された原稿から画像を読み取る機能を有する。スキャナ部２２３により読み取られた画像データは、メモリ制御部２２６によりメモリ２２７に格納される。画像処理部２２４は、メモリ２２７に格納された画像データを読み出して所定の画像処理を行う。所定の画像処理が行われた画像データは、メモリ制御部２２６により再度メモリ２２７に格納される。
【００２８】
操作端末画像生成部２２５は、メモリ２２７に格納されている画像データを読み出して解像度変換等の画像処理を行い、操作端末１００でのプレビュー表示用の画像データを作成する。作成されたプレビュー表示用の画像データは、メモリ制御部２２６によりメモリ２２７に格納される。
【００２９】
ネットワーク通信部２２１は、アンテナ２２０を介して操作端末１００との間で所定の通信方式（例えば、ＷＬＡＮ通信方式等）により無線通信を行う。ＭＦＰ制御部２３０は、メモリ制御部２２６によりメモリ２２７に格納されているプレビュー表示用の画像データを読み出すように制御し、ネットワーク通信部２２１に送る。ネットワーク通信部２２１は、読み出されたプレビュー表示用の画像データをアンテナ２２０を介して操作端末１００に送信する。
【００３０】
プリンタ部２２９は、メモリ２２７に格納された画像処理済みの画像データをメモリ制御部２２６を介して読み出し、例えば電子写真方式であれば、ＰＷＭ変調によって感光体（不図示）に潜像形成するためのレーザーパルスを生成する。感光体に潜像形成された画像は、用紙に転写・定着されて印刷出力される。
【００３１】
プリンタ部２２９に搭載された後処理装置通信制御部は、製本装置１０２と仕分け装置１０３を設定し、動作を制御する。各装置間の通信は、制御用通信Ｉ／Ｆにより行われる。
【００３２】
次に、操作端末１００における座標位置検出方法について図３（ａ）〜図３（ｄ）を用いて説明する。
【００３３】
図３（ａ）は、ユーザの左手３０４で支えられ、ユーザの右手３０３で表面部３０１が操作されている状態にある操作端末１００を示す。操作端末１００の表面部３０１には、透明な材質で形成された第１タッチパネル２００が配置され、その下部に液晶ディスプレイ２０４が積層して配置されている。
【００３４】
操作端末１００は、液晶ディスプレイ２０４にプレビュー表示された画像上の所定の位置をユーザの右手３０３の人差し指がタッチすると、当該タッチされた位置を第１タッチパネル２００上の座標位置３０５として検出する。
【００３５】
図３（ｂ）は、図３（ａ）に示す状態にある操作端末１００を裏面部３０２からみた図である。操作端末１００の裏面部３０２には、第２タッチパネル２０２が配置されており、ユーザの左手３０４の人差し指が所定の位置をタッチすると、当該タッチされた位置を第２タッチパネル２０２の座標位置３０６として検出する。
【００３６】
図３（ｃ）は、表面部３０１の平面図である。座標位置３０５は、ユーザの右手３０３の人差し指によって指定された第１タッチパネル２００上の座標位置である。
【００３７】
図３（ｄ）は、裏面部３０２の平面図である。座標位置３０６は、ユーザの左手３０４の人差し指によって指定された第２タッチパネル２０２上の座標位置である。
【００３８】
座標位置３０５は、第１タッチパネル２００上の原点３０７を基準にした二次元座標位置として表される。同様に、座標位置３０６は、第２タッチパネル２０２上の原点３０８を基準とした二次元座標位置として表される。
【００３９】
次に、第１の実施形態における操作端末１００のステープル綴じ位置の設定方法について図４（ａ）〜図４（ｄ）を用いて説明する。なお、本実施形態では、２ページ分の原稿画像を縮小して１枚の用紙の左右に並べて印刷する２−Ｕｐコピーを例にして説明する。
【００４０】
図４（ａ）は、操作端末１００の表面部に表示されたプレビュー画像の一例を示す図である。
【００４１】
図４（ａ）において、操作端末１００の表面部３０１には、出力用紙上に２−Ｕｐレイアウトされた画像４０１がプレビュー表示されている。２−Ｕｐレイアウトとは、２ページ分の原稿画像を縮小して１枚の用紙に並べて配置することである。つまり、画像４０１は、ＭＦＰ１０１で作成され、操作端末１００に送信された出力用紙上に印刷される画像である。
【００４２】
ユーザが操作端末１００でステープル綴じ位置を設定する場合、図４（ｂ）に示す操作を行う。すなわち、左手３０４の人差し指と親指を使って第１タッチパネル２００上の所定の位置（４０２）と第２タッチパネル２０２上の所定の位置（４０２）を同時にタッチする。なお、右手３０３は、第１タッチパネル２００及び第２タッチパネル２０２に触れないように操作端末１００の端部を持つことが好ましい。本実施形態では、ユーザがコーナー綴じを選択し、プレビュー表示された画像上の左上をタッチした場合について説明する。
【００４３】
図４（ｃ）は、図４（ｂ）に示すステープル綴じ位置の指定操作が行われた後に操作端末１００の液晶ディスプレイ２０４に表示される画面の一例を示す図である。
【００４４】
液晶ディスプレイ２０４上の画面には、ステープル綴じ位置を示すイメージアイコン４０３と、イメージアイコン４０３が示す位置でステープル綴じしてもよいかどうかをユーザに確認させるためのステープル綴じ位置確認ウィンドウ４０４とが表示されている。
【００４５】
ステープル綴じ位置確認ウィンドウ４０４上の「はい」ボタン４０５が指でタッチされた場合には、イメージアイコン４０３が示す位置がステープル綴じされる位置として確定される。一方、「いいえ」ボタン４０６が指でタッチされた場合には、イメージアイコン４０３が示すステープル綴じ位置がキャンセルされる。
【００４６】
このように、本実施形態では、出力用紙上にレイアウトされた画像がプレビュー表示された操作端末１００において、表裏面のタッチパネルの所定位置を同時にタッチすることで、タッチした位置にステープル綴じ位置を設定することができる。これにより、ユーザが直感的な分かりやすい操作でステープル綴じ位置を設定できる。
【００４７】
次に、第１の実施形態におけるステープル綴じ位置の設定方法を実施した場合の操作端末１００とＭＦＰ１０１の動作処理について図５Ａ、図５Ｂを用いて説明する。なお、本実施形態では、図４（ａ）に示すように、２−Ｕｐコピーされた印刷物のステープル処理に関して説明するが、他の形態でも同様である。
【００４８】
図５Ａは、第１の実施形態における操作端末１００のステープル綴じ位置の設定処理を示すフローチャートである。本処理は、操作端末制御部２０６内のＣＰＵによって実行される。図５Ｂは、図５Ａに示す処理に対応するＭＦＰ１０１における印刷処理及びステープル処理を示すフローチャートである。本処理は、ＭＦＰ制御部２３０内のＣＰＵによって実行される。
【００４９】
なお、図５Ａ、図５Ｂに示す処理は、第１及び第２タッチパネルの両方を使用した操作に対して実行されるものであり、第１又は第２タッチパネルのいずれかのみ使用した場合の処理については、その説明を割愛する。
【００５０】
図５Ａにおいて、ステップＳ５０１では、操作端末制御部２０６内のＣＰＵ（以下、単に「操作端末制御部２０６」とする）は、２−Ｕｐコピーの設定画面を操作端末１００上に表示する。具体的には、操作端末１００は、液晶ディスプレイ２０４に図４（ａ）に示す画面を表示し、２−Ｕｐコピーの設定を受け付ける。液晶ディスプレイ２０４に表示される操作部用画像（不図示）、例えばコピー開始キーやコピー枚数を入力するための数値キー等のソフトキー画像やこれらを表示するためのプログラムは、操作端末１００内のメモリ２０８に格納されているものとする。そして、ＭＦＰ１０１に対する操作を行う場合、操作端末制御部２０６がメモリ２０８からプログラムを読み出して実行することで、液晶ディスプレイ２０４上に表示される。また、操作端末制御部２０６は、第１タッチパネル２００で検出した操作に対応する座標情報から、２−Ｕｐコピーが指定されたと判断する。
【００５１】
次に、ステップＳ５０２では、操作端末制御部２０６は、原稿のスキャンの開始が指示されたかどうかを判定する。ユーザが操作端末１００上の所定の座標をタップした場合には、スキャン開始と判定する。操作端末制御部２０６は、第１タッチパネル２００で検出した操作に対応する座標情報から所定の座標がタップされたと判定した場合には、ステップＳ５０２ａに進む。
【００５２】
ステップＳ５０２ａでは、操作端末制御部２０６は、ネットワーク通信部２１０により無線通信回線２１２を介してＭＦＰ１０１にスキャン開始指示を送信する。
【００５３】
図５ＢのステップＳ５０２ｂでは、ＭＦＰ制御部２３０のＣＰＵ（以下、単に「ＭＦＰ制御部２３０」とする）は、操作端末１００から無線通信回線２１２を介してスキャン開始指示を受信したか否かを判定する。スキャン開始指示を受信したときは、ＭＦＰ制御部２３０からスキャナ部２２３に原稿を読み込むように要求する（ステップＳ５０３）。これによって生成された画像データは、画像処理部２２４で２−Ｕｐレイアウト等の画像処理を行われた後にメモリ２２７に格納される。
【００５４】
次に、ステップＳ５０４では、ＭＦＰ制御部２３０は、操作端末１００でプレビュー表示する画像を生成し、ネットワーク通信部２２１により無線通信回線２１２を介して操作端末１００へ送信する。具体的には、メモリ２２７に格納された２−Ｕｐレイアウトに画像処理された画像データは、操作端末画像生成部２２５によって読み取られる。そして、操作端末１００の液晶ディスプレイ２０４の表示解像度に合わせて解像度変換処理が行われ、最終的にネットワーク通信部２２１から送信される。
【００５５】
図５ＡのステップＳ５０５では、操作端末制御部２０６は、ＭＦＰ１０１から受信した画像データをメモリ２０８に格納すると共に、液晶ディスプレイ２０４に表示する。
【００５６】
次に、ステップＳ５０６では、操作端末制御部２０６は、印刷開始が指示されたかどうかを判定する。ステップＳ５０２と同様に、ユーザが操作端末１００上の所定の座標をタップした場合には、印刷開始と判定する。操作端末制御部２０６は、第１タッチパネル２００で検出した操作に対応する座標情報から所定の座標がタップされたと判定した場合には、ステップＳ５０６ａに進む。一方、印刷開始が指示されていないと判定した場合は、ステップＳ５０７に進む。
【００５７】
ステップＳ５０６ａでは、操作端末制御部２０６は、ネットワーク通信部２１０により無線通信回線２１２を介してＭＦＰ１０１に印刷開始指示を送信して、本処理を終了する。
【００５８】
ステップＳ５０７では、操作端末制御部２０６は、操作端末１００の表面の第１タッチパネル２００が第１のタッチ操作を検出したかどうかを判定する。タッチ操作を検出した場合、操作端末制御部２０６は、図３（ｃ）で説明したように、タッチされた第１タッチパネル２００上の座標位置（第１座標位置）を取得する（ステップＳ５０８）。
【００５９】
ステップＳ５０９では、操作端末制御部２０６は、操作端末１００の裏面側の第２タッチパネル２０２が第２のタッチ操作を検出したかどうかを判定する。タッチ操作を検出した場合、操作端末制御部２０６は、図３（ｄ）で説明したように、タッチされた第２タッチパネル２０２上の座標位置（第２座標位置）を取得する（ステップＳ５１０）。
【００６０】
次に、ステップＳ５１１では、操作端末制御部２０６は、ステップＳ５０８及びステップＳ５１０にて取得した表裏面の各座標位置を比較し、第１座標位置と第２座標位置が同じかどうかを判定する。同じ座標位置であると判定された場合、ステップＳ５１２に進む。一方、同じ座標位置ではないと判定された場合、ステップＳ５０６に進む。
【００６１】
ステップＳ５１１において座標位置が同一か否かを判定する際に、タッチパネルのタッチセンサ分解能に応じて許容誤差内であれば一致したと判定する。例えば、第１及び第２タッチパネルの各分解能が１ｍｍであった場合に、指でタッチされる面積が１ｃｍ２とすると、Ｘ方向に１０ドットＹ方向に１０ドットの座標の誤差以内であれば同じ座標であると判定する。
【００６２】
第１タッチパネル２００または第２タッチパネル２０２のいずれか一方のみがタッチされていた場合、ステップＳ５１１では、検出された座標位置が同じではないと判定される。
【００６３】
ステップＳ５１２では、操作端末制御部２０６は、ステップＳ５０８及びステップＳ５１０にて取得した座標位置がステープル綴じ可能領域内にあるかどうかを判定する。これは、仕分け装置１０３内のステープル装置の仕様等により、用紙に対するステープル綴じ可能位置が存在するからである。本実施形態におけるステープル綴じ可能位置の一例を図６に示す。
【００６４】
ステープル装置がコーナー綴じと二か所綴じの２つのモードを備える場合、コーナー綴じモードでは、左上綴じ６０１、右上綴じ６０３、右下綴じ６０５、及び左下綴じ６０７の４か所が設定可能である。一方、二か所綴じモードに対しては、上辺綴じ６１１、右辺綴じ６１３、下辺綴じ６１５、及び左辺綴じ６１７の４か所が設定可能である。
【００６５】
コーナー綴じモードでは、左上綴じ６０１の位置にステープル綴じ位置を設定する場合、左綴じ指定領域６０２に対して表裏面の各タッチパネルを同時にタッチする。同様に、右上綴じ６０３の位置では右上綴じ指定領域６０４に、右下綴じ６０５の位置では右下綴じ指定領域６０６に、左下綴じ６０７の位置では左下綴じ指定領域６０８に対して表裏面の各タッチパネルを同時にタッチする。
【００６６】
二か所綴じモードでは、上辺綴じ６１１の位置にステープル綴じ位置を設定する場合、上辺綴じ指定領域６１２に対して表裏面の各タッチパネルを同時にタッチする。同様に、右辺綴じ６１３の位置では右辺綴じ指定領域６１４に、下辺綴じ６１５の位置では下辺綴じ指定領域６１６に、左辺綴じ６１７の位置では左辺綴じ指定領域６１８に対して表裏面の各タッチパネルを同時にタッチする。これにより、各位置にステープル処理を設定することができる。
【００６７】
以上のように、ユーザが、予め設定されたステープル綴じ可能領域内の位置に対して表裏面の各タッチパネルを同時にタッチすることにより、出力用紙の所望の位置に直感的に後処理の内容を設定できる。
【００６８】
ステップＳ５１２の判定結果から、操作端末制御部２０６は、ステップＳ５０８及びステップＳ５１０にて取得した座標位置がステープル綴じ可能領域内にないと判定した場合、ステップＳ５０６へ戻る。一方、取得した座標位置がステープル綴じ可能領域内にあると判定した場合は、ステップＳ５１３へ移行する。
【００６９】
ステップＳ５１３では、操作端末制御部２０６は、図４（ｃ）で説明したステープル綴じ位置確認ウィンドウ４０４を液晶ディスプレイ２０４に表示する。
【００７０】
次に、ステップＳ５１４では、操作端末制御部２０６は、ステープル綴じ位置確認ウィンドウ４０４上の「はい」ボタン４０５がタッチされたか、「いいえ」ボタン４０６がタッチされたかを判定する。「はい」ボタン４０５がタッチされたと判定した場合、ステップＳ５１５に遷移し、操作端末制御部２０６は、ステープル綴じ位置確認ウィンドウ４０４を閉じて、元のプレビュー表示を行う。
【００７１】
ステープル綴じ位置が決定すると、操作端末制御部２０６は、ステープル綴じ位置情報を、ネットワーク通信部２１０により無線通信回線２１２を介してＭＦＰ１０１に送信し（ステップＳ５１５）、ステップＳ５０６へ戻る。なお、本実施形態では、ステップＳ５１５のタイミングで操作端末１００からＭＦＰ１０１にステープル綴じ位置情報が送信されているが、ステップＳ５０６ａのタイミングで印刷開始指示と同時にステープル綴じ位置情報を送信してもよい。
【００７２】
ＭＦＰ制御部２３０は、図５ＢのステップＳ５０６ｂで操作端末１００から印刷開始指示を受信すると、既に受信したステープル綴じ位置情報と印刷指示をプリンタ部２２９に送信する。
【００７３】
ステップＳ５１７では、プリンタ部２２９は、上述したように、メモリ２２７に格納された画像処理済みの画像データをメモリ制御部２２６を介して読み出し、印刷する。このとき、レイアウト情報に応じて、搬送される用紙の向き及び用紙に対する画像の向きを制御して印刷が行われる。これは、仕分け装置１０３内のステープル装置が、設定されたステープル綴じ位置通りにステープル処理を行うために、用紙もしくは印刷される画像の向きを変える必要があるためである。印刷出力された用紙は仕分け装置１０３に搬送され、搬送された順番に重ねて載置される。
【００７４】
次に、ステップＳ５１８では、仕分け装置１０３でステープル処理が行われる。具体的には、重ねて載置された用紙を所定の枚数毎に１つの用紙束としてハンドリングし、仕分け装置１０３内のステープル装置により、ステップＳ５１５にて決定されたステープル綴じ位置にステープル処理が行われる。印刷出力された全ての用紙に対してステープル処理が完了すると、本処理を終了する。
【００７５】
このように、出力用紙上にレイアウトされた画像がプレビュー表示された操作端末１００において、表裏面のタッチパネルへの同時タッチ操作に対する２箇所の座標位置が同じか否か判定し、且つ当該位置がステープル綴じ可能領域内にあるか判定する。両方の条件を満たす場合には、当該位置にステープル処理が行われる。これにより、出力用紙上にレイアウトされた画像がプレビュー表示された操作端末から出力用紙上の所望の位置に直感的にステープル綴じ位置を設定することが可能となる。
【００７６】
［第２の実施形態］
次に、本発明の第２の実施の形態にかかる画像形成装置の操作端末について説明する。本発明の第２の実施の形態では、図１〜図３に示す構成が上記第１の実施の形態と同じであり、第１の実施の形態と同様の部分については、同一の符号を用いてその説明を省略する。以下に、上記第１の実施の形態と異なる点のみを説明する。
【００７７】
第２の実施形態における操作端末１００のステープル綴じ位置の設定方法について図７（ａ）〜図７（ｄ）を用いて説明する。なお、本実施形態においても、第１の実施形態と同様に２−Ｕｐコピーを例にして説明する。
【００７８】
図７（ａ）は、操作端末１００でステープル綴じ位置を指定するときの操作の一例を示す図である。
【００７９】
図７（ａ）において、操作端末１００の表面部３０１には、出力用紙上に２−Ｕｐレイアウトされた画像４０１がプレビュー表示されている。ユーザが操作端末１００でステープル綴じ位置を設定する場合、図示のように、ユーザは左手の親指と人差し指で第１タッチパネル２００と第２タッチパネル２０２とを同時にタッチすることで、綴じ処理設定画面を表示させる。
【００８０】
図７（ｂ）は、図７（ａ）に示すステープル綴じ位置の指定操作が行われた後に操作端末１００の液晶ディスプレイ２０４に表示される画面の一例を示す図である。
【００８１】
液晶ディスプレイ２０４上の画面には、プレビュー画面にオーバーラップしてステープル処理設定用ウィンドウ７０１が表示される。ステープル処理設定用ウィンドウ７０１には、コーナー綴じ選択ボタン７０２、二か所綴じ選択ボタン７０３、及びキャンセルボタン７０４が表示される。
【００８２】
図７（ｃ）は、ステープル処理設定用ウィンドウ７０１上でコーナー綴じ選択ボタン７０２が選択された場合に表示されるコーナー綴じ位置設定用ウィンドウ７０５の一例を示す図である。
【００８３】
コーナー綴じ位置設定用ウィンドウ７０５には、左上綴じ設定ボタン７０６、右上綴じ設定ボタン７０７、右下綴じ設定ボタン７０８、左下綴じ設定ボタン７０９、及びキャンセルボタン７１０が表示される。ここで、綴じ設定ボタン７０６〜７０９のいずれかが選択されると、選択された位置へのステープル処理が設定される。一方、キャンセルボタン７１０が選択されると、コーナー綴じ位置設定用ウィンドウ７０５を閉じて、ステープル綴じ位置設定を終了する。
【００８４】
図７（ｄ）は、ステープル処理設定用ウィンドウ７０１上で二か所綴じ選択ボタン７０３が選択された場合に表示される二か所綴じ位置設定用ウィンドウ７１１の一例を示す図である。
【００８５】
二か所綴じ位置設定用ウィンドウ７１１には、上辺綴じ設定ボタン７１２、右辺綴じ設定ボタン７１３、下辺綴じ設定ボタン７１４、左辺綴じ設定ボタン７１５、及びキャンセルボタン７１６が表示される。ここで、二か所綴じ設定ボタン７１２〜７１５のいずれかが選択されると、選択された位置への二か所綴じ処理が設定される。また、キャンセルボタン７１６が選択されると、二か所綴じ位置設定用ウィンドウ７１１を閉じて、ステープル綴じ位置設定を終了する。
【００８６】
このように、出力用紙上にレイアウトされた画像がプレビュー表示された操作端末において、表裏面のタッチパネルの同時タッチ操作を検出して、ステープル綴じ位置の設定を受け付ける。これにより、直感的な分かりやすい操作でステープル設定モードへ移行できる。
【００８７】
次に、第２の実施形態におけるステープル綴じ位置の設定方法を実施した場合の操作端末１００の動作処理について図８を用いて説明する。
【００８８】
図８は、第２の実施形態における操作端末１００のステープル綴じ位置の設定処理を示すフローチャートである。なお、ＭＦＰ１０１との間のプレビュー画面設定処理（ステップＳ５０１〜ステップＳ５０５）、ステープル綴じ位置情報送信処理、ステープル位置決定後の印刷やステープル綴じ動作処理については第１の実施形態と同一であるため、それらの説明を割愛する。
【００８９】
図８の処理は、操作端末制御部２０６内のＣＰＵによって実行される。また、本処理は、第１及び第２タッチパネルの両方を使用した操作に対して実行されるものであり、第１又は第２タッチパネルのいずれかのみ使用した場合の処理については、その説明を割愛する。
【００９０】
ステップＳ８０１では、操作端末制御部２０６は、第１タッチパネル２００が第１のタッチ操作を検出したかどうかを判定する。タッチ操作を検出した場合、ステップＳ８０２に進む。
【００９１】
ステップＳ８０２では、操作端末制御部２０６は、第２タッチパネル２０２が第２のタッチ操作を検出したかどうかを判定する。タッチ操作を検出した場合、ステップＳ８０３に進む。
【００９２】
ステップＳ８０３では、操作端末制御部２０６は、第１と第２タッチパネルのいずれもタッチされている状態であるため、図７（ｂ）に示すステープル処理設定用ウィンドウ７０１を液晶ディスプレイ２０４に表示する。
【００９３】
次に、ステップＳ８０４では、操作端末制御部２０６は、第１タッチパネル２００に対する第３のタッチ操作により、ステープル処理設定用ウィンドウ７０１上のコーナー綴じ選択ボタン７０２が選択されたかどうかを判定する。コーナー綴じ選択ボタン７０２が選択されたと判定した場合にはステップＳ８０５に進む。一方、コーナー綴じ選択ボタン７０２が選択されていないと判定した場合には、ステップＳ８０８に進む。
【００９４】
ステップＳ８０８では、操作端末制御部２０６は、第１タッチパネル２００に対する第３のタッチ操作により、ステープル処理設定用ウィンドウ７０１上の二か所綴じ選択ボタン７０３が選択されたかどうかを判定する。二か所綴じ選択ボタン７０３が選択されたと判定した場合にはステップＳ８０９に進む。一方、二か所綴じ選択ボタン７０３が選択されていないと判定した場合には、ステップＳ８１２に進む。
【００９５】
ステップＳ８１２では、操作端末制御部２０６は、ステープル処理設定用ウィンドウ７０１上のキャンセルボタン７０４が選択されたかどうかを判定する。キャンセルボタン７０４が選択されたと判定した場合には、本処理を終了する。一方、キャンセルボタン７０４が選択されなかったと判定した場合には、再びステップＳ８０４に進む。
【００９６】
ステップＳ８０５では、操作端末制御部２０６は、液晶ディスプレイ２０４にコーナー綴じ位置設定用ウィンドウ７０５を表示して、ステップＳ８０６に進む。
【００９７】
ステップＳ８０６では、操作端末制御部２０６は、コーナー綴じ位置設定用ウィンドウ７０５上でのユーザのボタン操作を受け取り、キャンセルボタン７１０が選択されたかどうかを判定する。キャンセルボタン７１０が選択されたと判定した場合、本処理を終了する。一方、キャンセルボタン７１０が選択されなかったと判定した場合には他のボタンが選択されたと判断して、ステップＳ８０７に進む。
【００９８】
ステップＳ８０７では、操作端末制御部２０６は、ステップＳ８０６で受け取ったユーザのボタン操作に対応するコーナー綴じ位置情報を取得する。ここでは、左上綴じ設定ボタン７０６、右上綴じ設定ボタン７０７、右下綴じ設定ボタン７０８、左下綴じ設定ボタン７０９のいずれかに相当するステープル綴じ位置情報が取得される。その後、プロセスはステップＳ８１３に進む。
【００９９】
ステップＳ８０９では、操作端末制御部２０６は、液晶ディスプレイ２０４に二か所綴じ位置設定用ウィンドウ７１１を表示して、ステップＳ８１０に進む。
【０１００】
ステップＳ８１０では、操作端末制御部２０６は、二か所綴じ位置設定用ウィンドウ７１１上でのユーザのボタン操作を受け取り、キャンセルボタン７１６が選択されたかどうかを判定する。キャンセルボタン７１６が選択されたと判定した場合、本処理を終了する。一方、キャンセルボタン７１６が選択されなかったと判定した場合には他のボタンが選択されたと判断して、ステップＳ８１１に進む。
【０１０１】
ステップＳ８１１では、操作端末制御部２０６は、ステップＳ８１０で受け取ったユーザのボタン操作に対応する二か所綴じ位置情報を取得する。ここでは、上辺綴じ設定ボタン７１２、右辺綴じ設定ボタン７１３、下辺綴じ設定ボタン７１４、左辺綴じ設定ボタン７１５のいずれかに相当するステープル綴じ位置情報が取得される。その後、プロセスはステップＳ８１３に進む。
【０１０２】
ステップＳ８１３では、操作端末制御部２０６は、ステップＳ８０７で取得したコーナー綴じ位置情報またはステップＳ８１１で取得した二か所綴じ位置情報を無線通信回線２１２を介してＭＦＰ１０１に送信する。
【０１０３】
このように、出力用紙上にレイアウトされた画像がプレビュー表示された操作端末において、表裏面のタッチパネルへの同時タッチ操作を検出してステープル処理設定用画面を表示する。これにより、コーナー綴じモードや二か所綴じモードに直感的且つ自動的に遷移することが可能となる。
【０１０４】
［第３の実施形態］
次に、本発明の第３の実施の形態にかかる画像形成装置の操作端末について説明する。本発明の第３の実施形態では、図１〜図３に示す構成が上記第１の実施の形態と同じであり、第１の実施の形態と同様の部分については、同一の符号を用いてその説明を省略する。
【０１０５】
第３の実施形態における操作端末１００のくるみ製本綴じ位置設定方法について図９（ａ）〜図９（ｆ）を用いて説明する。なお、本実施形態においても、第１の実施形態と同様に２−Ｕｐコピーを例にして説明する。
【０１０６】
操作端末１００の液晶ディスプレイ２０４に図４（ａ）に示す向きに画像４０１がプレビュー表示されている場合、図９（ａ）、図９（ｂ）または図９（ｃ）に示すいずれかの向きで製本を行うことが一般的である。つまり、縦長の原稿２ページを左右に並べて横長の１ページに縮小する場合、図９（ａ）、図９（ｂ）または図９（ｃ）に示すいずれかの向きで製本を行うことが一般的である。
【０１０７】
図９（ａ）は、左綴じ製本された出力用紙束の一例を示す図である。図示例は、図４（ａ）に示す画像の向きの出力用紙束９０２に対して左辺を製本処理することにより、ページを左めくりにしたものである。製本装置１０２内のホットメルト接着部（不図示）によって片面に塗布された熱溶融性糊を用紙束端部に溶融接着させることで、ホットメルトテープ９０１が形成される。
【０１０８】
図９（ｂ）は、上綴じ製本された出力用紙束の一例を示す図である。図示例は、図４（ａ）に示す画像の向きの出力用紙束９０２に対して上辺を製本処理することにより、ページを上めくりにしたものである。
【０１０９】
図９（ｃ）は、右綴じ製本された出力用紙束の一例を示す図である。図示例は、図４（ａ）に示す画像の向きの出力用紙束９０２に対して右辺を製本処理することにより、ページを右めくりにしたものである。
【０１１０】
このように、出力用紙束９０２に対してそれぞれ左側、上側、右側を製本する場合について説明したが、図９（ｄ）に示す向きに画像４０１がプレビュー表示される場合(横長の原稿２ページを上下に並べて縦長の１ページに縮小する場合)がある。
【０１１１】
図９（ｅ）は、左綴じ製本された出力用紙束の一例を示す図である。図示例は、図９（ｄ）に示す画像の向きの出力用紙束９０３に対して左辺を製本処理することにより、ページを左めくりにしたものである。
【０１１２】
図９（ｆ）は、上綴じ製本された出力用紙束の一例を示す図である。図示例は、図９（ｄ）に示す画像の向きの出力用紙束９０３に対して上辺を製本処理することにより、ページを上めくりにしたものである。
【０１１３】
次に、上述した各種製本処理に対する製本綴じ位置の設定方法について図１０（ａ）〜図１０（ｃ）を用いて説明する。なお、本実施形態においても、第１の実施形態と同様に２−Ｕｐコピーを例にして説明する。
【０１１４】
図１０（ａ）は、出力用紙束の左辺に製本処理を設定するときの操作方法の一例を示す図である。
【０１１５】
図１０（ａ）において、操作端末１００の表面部３０１には、図４（ａ）に示す向きに画像４０１がプレビュー表示されている。ここで、図９（ａ）に示す出力用紙束９０２の左辺の製本処理を設定する場合、図示のように、ユーザは操作する。具体的に、ユーザは左手の親指と人差指とで第１タッチパネル２００と第２タッチパネル２０２の左辺部分を１００１の位置から１００２の位置まで図の縦方向に同時にスワイプする。なお、スワイプとは、タッチパネルにタッチしたまま指を滑らせる操作を意味する。これにより、タッチパネルより検出される座標は軌跡を描いて連続的に変化する。
【０１１６】
図１０（ｂ）は、出力用紙束の左辺（用紙束に対しては左辺）に製本処理を設定するときの操作方法の一例を示す図である。
【０１１７】
図１０（ｂ）において、操作端末１００の表面部３０１には、図９（ｄ）に示す向きに画像４０１がプレビュー表示されている。例えば、図９（ｅ）に示す出力用紙束９０３の下辺（用紙束に対しては左辺）の製本処理を設定する場合、ユーザは図示のように操作する。すなわち、ユーザは、左手の親指と人差指とで第１タッチパネル２００と第２タッチパネル２０２の下辺部分を１００３から１００４の位置まで図の横方向に同時にスワイプする。
【０１１８】
このように、画像４０１が所定の向きにプレビュー表示された操作端末１００に対してユーザがスワイプ操作を行うことにより、出力用紙の所定の端部に対して製本処理を設定することができる。
【０１１９】
図１０（ａ）に示すスワイプが行われると、図１０（ｃ）に示すように、設定された製本綴じ位置領域１００５と製本綴じ位置確認ウィンドウ１００６が液晶ディスプレイ２０４に表示される。
【０１２０】
製本綴じ位置確認ウィンドウ１００６上には、「はい」ボタン１００７及び「いいえ」ボタン１００８が表示される。「はい」ボタン１００７が指でタッチされた場合、製本綴じ位置領域１００５で示された用紙端部に製本処理が行われる。また、「いいえ」ボタン１００８が指でタッチされた場合、製本処理はキャンセルされる。
【０１２１】
このように、出力用紙上にレイアウトされた画像がプレビュー表示された操作端末において、表裏面のタッチパネルにより同時スワイプ操作を検出して、製本綴じ位置の設定を受け付ける。これにより、直感的な分かりやすい操作で製本綴じ位置を設定できる。
【０１２２】
次に、本実施形態における製本綴じ位置の設定方法を実施した場合の操作端末１００及びＭＦＰ１０１の動作処理について図１１Ａ及び図１１Ｂを用いて説明する。
【０１２３】
図１１Ａは、第３の実施形態の操作端末１００における製本綴じ位置の設定処理を示すフローチャートである。本処理は、操作端末制御部２０６内のＣＰＵによって実行される。図１１Ｂは、図１１Ａに示す処理に対応するＭＦＰ１０１における印刷処理及び製本処理を示すフローチャートである。本処理は、ＭＦＰ制御部２３０内のＣＰＵによって実行される。
【０１２４】
なお、ＭＦＰ１０１との間のプレビュー画面設定処理（ステップＳ５０１〜ステップＳ５０５）については第１の実施形態と同一であるため説明を割愛する。また、本処理は、第１及び第２タッチパネルの両方を使用した操作に対して実行されるものであり、第１又は第２タッチパネルのいずれかのみ使用した場合の処理については、その説明を割愛する。
【０１２５】
ステップＳ１１０１では、操作端末制御部２０６は、印刷開始が指示されたかどうかを判定する。印刷開始が指示されたと判定した場合、以下に説明する製本綴じ位置を設定しないと判断して、ステップＳ１１０１ａに進む。一方、印刷開始が指示されていないと判定した場合、ステップＳ１１０２に進む。
【０１２６】
ステップＳ１１０１ａでは、操作端末制御部２０６は、ネットワーク通信部２１０により無線通信回線２１２を介してＭＦＰ１０１に印刷開始指示を送信して、本処理を終了する。
【０１２７】
ステップＳ１１０２では、操作端末制御部２０６は、第１タッチパネル２００及び第２タッチパネル２０２の両方がタッチ操作を検出したかどうかを判定する。両方がタッチ操作を検出した場合、ステップＳ１１０３に進む。どちらのタッチパネルもタッチ操作を検出しなかった場合には、ステップＳ１１０１に戻る。
【０１２８】
ステップＳ１１０３では、操作端末制御部２０６は、表裏面のタッチパネルが、それぞれスワイプ操作の開始を検出したかどうかを判定する。これは、表裏面のタッチパネルでそれぞれ検出された座標位置が所定の時間前のときの座標位置と異なっている場合、それぞれの座標位置が移動していることからスワイプ操作が開始されたものと判定する。
【０１２９】
次に、ステップＳ１１０４では、操作端末制御部２０６は、第１タッチパネル２００が連続して検出した第１のスワイプ操作に対応する複数の座標位置を取得する。さらに、ステップＳ１１０５では、操作端末制御部２０６は、第２タッチパネル２０２が連続して検出した第２のスワイプ操作に対応する複数の座標位置を取得する。
【０１３０】
次に、ステップＳ１１０６では、操作端末制御部２０６は、表裏面のタッチパネルが、それぞれスワイプ操作の終了を検出したかどうかを判定する。これは、ステップＳ１１０３におけるスワイプ操作開始判定とは逆に、所定の時間前のときの座標位置と変化がないと判定された場合、それぞれの座標位置が移動していないことからスワイプ操作が終了したものと判定する。なお、第１タッチパネル２００または第２タッチパネル２０２の少なくとも一方がタッチ操作を検出しなくなった場合にも、スワイプ操作を終了したと判定してもよい。
【０１３１】
次に、ステップＳ１１０７では、操作端末制御部２０６は、ステップＳ１１０４，Ｓ１１０５で取得した表裏面の複数の座標位置からスワイプ操作の軌跡を検出する。検出された軌跡は、ユーザが第１タッチパネル２００及び第２タッチパネル２０２をどのようにスワイプしたかを表す。
【０１３２】
次に、ステップＳ１１０８では、操作端末制御部２０６は、ステップＳ１１０７で検出した表裏面のスワイプ軌跡から、正しいスワイプ操作が行われたかどうかを判定する。
【０１３３】
ここで正しいスワイプ操作をどのように判定するかについて図１２を用いて説明する。図１２は、製本綴じ位置設定操作を検出するために表裏面のタッチパネル上に予め設定されたスワイプ操作検出領域を示す図である。
【０１３４】
図１２に示すように、第１タッチパネル２００及び第２タッチパネル２０２には、上端部スワイプ操作検出領域１２０１、右端部スワイプ操作検出領域１２０２、下端部スワイプ操作検出領域１２０３、左端部スワイプ操作検出領域１２０４が設定されている。
【０１３５】
本実施形態では、図１１ＡのステップＳ１１０７で検出したスワイプ軌跡とタッチパネル上の４か所（裏面を含めると８か所）に設定されたスワイプ操作検出領域とを比較する。そして、スワイプ軌跡がスワイプ操作検出領域を逸脱した場合、そのスワイプ操作は正しくスワイプ操作をしたとは判定されない。なお、本実施形態では、第１タッチパネル２００と第２タッチパネル２０２にそれぞれ設定されたスワイプ操作検出領域について説明したが、どちらか一方のみであってもよい。また、実際に操作するユーザの指の大きさや液晶ディスプレイの大きさ等によって、最適なスワイプ操作検出領域は異なるため、スワイプ操作検出領域の大きさは図示の例には限られない。
【０１３６】
図１１ＡのステップＳ１１０８では、操作端末制御部２０６は、表裏面のタッチパネル上に設定されたスワイプ操作検出領域と実際のスワイプ軌跡とを比較する。そして、表裏面のタッチパネルそれぞれで正しくスワイプ操作がされたかどうかを判定する。正しいスワイプ操作をされたと判定した場合、ステップＳ１１０９に進む。一方、正しいスワイプ操作ではないと判定した場合は、ステップＳ１１１２においてユーザに対して警告が発せられる。警告方法としては、操作端末１００に設置されたスピーカー（不図示）によって警告音を出してもよいし、液晶ディスプレイ２０４上に警告情報を表示してもよいし、上記の両方を行ってもよい。
【０１３７】
ステップＳ１１０９では、操作端末制御部２０６は、実際のスワイプ軌跡とプレビュー表示された画像の向き（レイアウト）を考慮して、実際の出力用紙のどの端部に製本処理を行うべきかを判定する。例えば、図１２に示すプレビュー画像が表示された状態で、左端部スワイプ操作検出領域１２０４がスワイプ操作された場合、図９（ａ）に示すように出力用紙束９０２の左辺に製本処理を設定する。一方、図９（ｄ）に示すプレビュー画像が表示された状態で、左端部スワイプ操作検出領域１２０４がスワイプ操作された場合、図９（ｆ）に示すように出力用紙束９０３の上辺に製本処理を設定する。
【０１３８】
次に、ステップＳ１１１０では、図１０（ｃ）で説明したように、操作端末制御部２０６は、設定された製本処理位置で製本処理を行うかどうかを判定する。「はい」ボタン１００７が指でタッチされた場合は、ステップＳ１１１１に進む。一方、「いいえ」ボタン１００８が指でタッチされた場合、ステップＳ１１０１に戻る。
【０１３９】
ステップＳ１１１１では、操作端末制御部２０６は、製本綴じ位置情報を決定し、当該製本綴じ位置情報を無線通信回線２１２を介してＭＦＰ１０１に送信して、本処理は終了する。
【０１４０】
次に、ＭＦＰ１０１のＭＦＰ制御部２３０における処理について説明する。図１１Ｂに示すように、ステップＳ１１１３では、ＭＦＰ制御部２３０は、印刷開始指示を操作端末１００から受信したかどうか判定する。印刷開始指示を受け取ったと判定した場合、ＭＦＰ制御部２３０は、受信した製本綴じ位置情報と印刷指示をプリンタ部２２９に送信する。
【０１４１】
ステップＳ１１１４では、プリンタ部２２９は、メモリ２２７に格納された画像処理済みの画像データをメモリ制御部２２６を介して読み出し、印刷する。このとき、レイアウト情報に応じて、搬送される用紙の向き及び用紙に対する画像の向きを制御して印刷する。これは、製本装置１０２が、設定された製本綴じ位置通りに製本処理を行うために、用紙もしくは印刷される画像の向きを変える必要があるためである。
【０１４２】
次に、ステップＳ１１１５では、製本装置１０２において、受信した製本綴じ位置情報に基づいて製本処理が行われる。印刷出力された用紙に対して製本処理が完了したときは本処理を終了する。
【０１４３】
このように、出力用紙上にレイアウトされた画像がプレビュー表示された操作端末１００において、表裏面のタッチパネル上のスワイプ操作検知領域を同時にスワイプ操作する。これにより、出力用紙上にレイアウトされた画像がプレビュー表示された操作端末から出力用紙上の所望の位置に直感的に製本綴じ位置を設定することが可能となる。
【０１４４】
［第４の実施形態］
次に、本発明の第４の実施の形態にかかる画像形成装置の操作端末について説明する。本発明の第４の実施の形態では、図１〜図３に示す構成が上記第１の実施の形態と同じであり、同様の部分については、同一の符号を用いてその説明を省略する。
【０１４５】
第４の実施形態における操作端末１００の製本綴じ位置設定方法について図１３（ａ）、図１３（ｂ）を用いて説明する。なお、第４の実施形態においても、第１の実施形態と同様に２−Ｕｐコピーを例にして説明する。
【０１４６】
操作端末１００の液晶ディスプレイ２０４に図４（ａ）に示す向きに画像４０１がプレビュー表示されている場合、次のような制御が行われる。図１３（ａ）に示すように、ユーザが左手の親指と人差し指で第１タッチパネル２００と第２タッチパネル２０２の左辺部分を同時にスワイプすると、図１３（ｂ）に示す画面が液晶ディスプレイ２０４に表示される。
【０１４７】
表示された画面に表示された製本綴じ位置設定用ウィンドウ１３０１は、上辺綴じ設定ボタン１３０２、右辺綴じ設定ボタン１３０３、下辺綴じ設定ボタン１３０４、左辺綴じ設定ボタン１３０５及びキャンセルボタン１３０６を含む。ここで、綴じ設定ボタン１３０２〜１３０５のいずれかが選択されると、その位置に製本綴じ処理が設定される。一方、キャンセルボタン１３０６が選択されると、製本綴じ位置設定用ウィンドウ１３０１を閉じて、製本綴じ位置設定を終了する。
【０１４８】
このように、出力用紙上にレイアウトされた画像がプレビュー表示された操作端末において、表裏面のタッチパネルにより同時スワイプ操作を検出して、製本綴じ位置の設定を受け付ける。これにより、直感的な分かりやすい操作で製本設定モードへ移行できる。
【０１４９】
次に、本実施形態における製本綴じ位置の設定方法を実施した場合の操作端末１００の動作処理について図１４を用いて説明する。
【０１５０】
図１４は、第４の実施形態における操作端末１００の製本綴じ位置の設定処理を示すフローチャートである。なお、ＭＦＰとの間のプレビュー画面設定処理、ステープル綴じ位置情報送信処理、ステープル綴じ位置決定後の印刷やステープル綴じ動作処理については第３の実施形態と同一であるため、それらの説明を割愛する。
【０１５１】
図１４の処理は、操作端末制御部２０６内のＣＰＵによって実行される。また、本処理は、第１及び第２タッチパネルの両方を使用した操作に対して実行されるものであり、第１又は第２タッチパネルのいずれかのみ使用した場合の処理については、その説明を割愛する。
【０１５２】
ステップＳ１４０１では、操作端末制御部２０６は、第１タッチパネル２００がタッチ操作を検出したかどうかを判定する。タッチ操作を検出した場合、ステップＳ１４０２に進む。
【０１５３】
ステップＳ１４０２では、操作端末制御部２０６は、第２タッチパネル２０２がタッチ操作を検出したかどうかを判定する。タッチ操作を検出した場合、ステップＳ１４０３に進む。
【０１５４】
ステップＳ１４０３では、操作端末制御部２０６は、裏面のタッチパネルが、それぞれスワイプ操作の開始を検出したかどうかを判定する。本処理は、図１１ＡのステップＳ１１０３と同様である。
【０１５５】
次に、ステップＳ１４０４では、操作端末制御部２０６は、表裏面のタッチパネルが、それぞれスワイプ操作の終了を検出したかどうかを判定する。本処理は、図１１ＡのステップＳ１１０６と同様である。
【０１５６】
次に、ステップＳ１４０５では、操作端末制御部２０６は、図１３（ｂ）に示すに製本綴じ位置設定用ウィンドウ１３０１を液晶ディスプレイ２０４に表示する。
【０１５７】
次に、ステップＳ１４０６では、操作端末制御部２０６は、製本綴じ位置設定用ウィンドウ１３０１上のキャンセルボタン１３０６が選択されたかどうかを判定する。キャンセルボタン１３０６が選択されたと判定した場合、製本綴じ設定を行わないということであるため、本処理を終了する。一方、キャンセルボタン１３０６が選択されなかったと判定した場合、ステップＳ１４０７に進む。
【０１５８】
ステップＳ１４０７では、操作端末制御部２０６は、ステップＳ１４０６で設定された製本綴じ位置情報を取得する。ここでは、上辺綴じ設定ボタン１３０２、右辺綴じ設定ボタン１３０３、下辺綴じ設定ボタン１３０４、左辺綴じ設定ボタン７１５のいずれかに相当する製本綴じ位置情報が取得される。操作端末制御部２０６は、取得した製本綴じ位置情報を無線通信回線２１２を介してＭＦＰ１０１に送信する。
【０１５９】
このように、出力用紙上にレイアウトされた画像がプレビュー表示された操作端末において、表裏面のタッチパネルへの同時タッチ操作を検出して製本綴じ位置設定用ウィンドウ１３０１を表示する。これにより、製本処理設定モードに直感的且つ自動的に遷移することが可能となる。
【０１６０】
上記第１〜第４の実施形態では、第１タッチパネル２００による検出結果と第２タッチパネル２０２による検出結果から、検出した座標位置の略同一性及び検出タイミングの同時性の少なくとも１つを判定する。そして、当該判定結果に応じて、ＭＦＰ１０１及びＭＦＰ１０１に接続された後処理装置に対する操作及び設定を指示する。
【０１６１】
第４の実施形態では、図１３（ａ）に示すように、表裏のタッチパネルの左辺部分の同時スワイプ操作を検出して製本綴じ位置設定用ウィンドウ１３０１を表示する。他方、図１２に示すスワイプ操作検出領域のいずれかを表裏面同時にスワイプ操作した際に製本綴じ位置設定用ウィンドウ１３０１を表示する構成としてもよい。
【０１６２】
［第５の実施形態］
図１５は本発明の第５の実施形態で使用される画像形成装置の構成を示す図である。この画像形成装置は、図１で説明した操作端末１００がＭＦＰ１０１に着脱可能であり、更にマルチフィニッシャー１５０１をＭＦＰ１０１の後段に接続した構成である。
【０１６３】
マルチフィニッシャー１５０１は、内部に用紙折り部１５０２及びパンチ穴開け部１５０３を具備し、ＭＦＰ１０１から出力された印刷用紙を受け取り中折り処理、パンチ処理を行うことが可能である。また処理済みの出力用紙を所定の用紙載置部に排出・載置することが可能である。なお、操作端末１００、ＭＦＰ１０１の構成等は同一であるため、本実施形態における詳細な説明は割愛する。
【０１６４】
第５の実施形態における中折り処理の設定方法について、タッチパネル方式の操作端末１００を使用して直感的に操作する概念について説明する。
【０１６５】
図１６（ａ）〜（ｆ）に第５の実施形態における操作方法を示す。図１６（ａ）は、操作端末１００の液晶ディスプレイ２０４上に表示されたプレビュー画面４０１を示す。この場合、例えば操作端末１００より予め２枚の原稿用紙を１枚の用紙に左右に並べて印刷する２−Ｕｐコピーを行うように設定し、原稿をスキャナ部２２３より取り込んだものとする。プレビュー画面４０１上には２−Ｕｐレイアウトされた画像が表示されている。
【０１６６】
図１６（ａ）に表示された画像を印刷した用紙に対して中折り処理を行いたい場合には、まず、図１６（ｂ）に示すようにユーザは左手の親指と人差指とで操作端末１００を把持して第１タッチパネル２００と第２タッチパネル２０２にタッチする。その上で、ユーザは、図１６（ｂ）に示すように操作端末１００の第１タッチパネル２００に対して右手の人差指によってスワイプする。
【０１６７】
なお、第５の実施形態で使用される第１タッチパネル２００及び第２タッチパネル２０２は共にマルチタッチが可能なタッチパネルである。ここで、マルチタッチが可能なタッチパネルとは、１面のタッチパネルに対して複数の座標を同時に検出・追跡が可能なタッチパネルを指す。例えばマルチタッチが可能なタッチパネルであれば、画像の拡大・縮小を行うピンチアウト・ピンチイン動作が可能である。また本実施形態では、左手でのタッチに加えて右手でのタッチをそれぞれ検出・追跡できる。
【０１６８】
この時、プレビュー画面上において１枚目の用紙（ページ番号が１及び２）は図１６（ｃ）に示すように折られているようなアニメーション動作表示（１６０１）を行う。また折り返された下側の用紙（ページ番号が３及び４）の内の４ページ目のスキャンされた画像データが図１６（ｃ）に示すように折り返し動作につれて表示される。
【０１６９】
上記右手の人差指でのスワイプ操作を完了し、操作端末１００の第１タッチパネル２００から指を離すことで中折り処理設定が完了し、図１６（ｄ）に示すように全ての用紙に対して谷折り処理設定がされたことを示す効果表示がされる。また、谷折り処理設定を行うかどうかを確認するための、谷折り処理確認ウィンドウ１６０２が表示される。谷折り処理確認ウィンドウ１６０２上の「はい」ボタン１６０３を指でタッチした場合に、谷折り処理設定は確定される。一方、「いいえ」ボタン１６０４を指でタッチした場合に、谷折り処理設定はクリアされる。
【０１７０】
図１６（ｅ）に示すように、ユーザが上記説明の内で右手の人差し指で操作端末１００の第１タッチパネル２００をスワイプする代わりに操作端末１００の第２タッチパネル２０２をスワイプしたとする。その場合、図１６（ｆ）に示すように全ての用紙に対して山折り処理設定がされたことを示す効果表示がされる。また、山折り処理設定を行うかどうかを確認するための、山折り処理確認ウィンドウ１６０５が表示される。山折り処理確認ウィンドウ１６０５上の「はい」ボタン１６０６を指でタッチした場合に、山折り処理は確定される。一方、「いいえ」ボタン１６０７を指でタッチした場合に、山折り処理設定はクリアされる。
【０１７１】
以上のように第５の実施形態は、一方の手で表裏面のタッチパネルに同時にタッチし、かつ、他方の手でスワイプすることで、直感的なわかりやすい操作で中折り処理を設定できる。
【０１７２】
第５の実施形態における中折り処理設定方法を実施した場合の操作端末１００及びＭＦＰ１０１の動作処理について、図１７Ａ及び図１７Ｂを用いて説明する。図１７Ａは、第５の実施形態の操作端末１００における中折り設定処理を示すフローチャートである。本処理は、操作端末制御部２０６内のＣＰＵによって実行される。図１７Ｂは、図１７Ａに示す処理に対応するＭＦＰ１０１における印刷処理及び中折り処理を示すフローチャートである。本処理は、ＭＦＰ制御部２３０内のＣＰＵによって実行される。
【０１７３】
なお、ＭＦＰ１０１との間のプレビュー画面設定処理（ステップＳ５０１〜ステップＳ５０５）については第１の実施形態と同一であるため説明を割愛する。また、本処理は、第１及び第２タッチパネルの両方を使用した操作に対して実行されるものであり、第１又は第２タッチパネルのみ使用した場合の処理については、その説明を割愛する。
【０１７４】
ステップＳ１７０１では、操作端末制御部２０６は、印刷開始が指示されたかどうかを判定する。印刷開始が指示されたと判定した場合、中折り処理を設定しないと判断して、ステップＳ１７０１ａに進む。一方、印刷開始が指示されていないと判定した場合、ステップＳ１７０２に進む。
【０１７５】
ステップＳ１７０１ａでは、操作端末制御部２０６は、ネットワーク通信部２１０により無線通信回線２１２を介してＭＦＰ１０１に印刷開始指示を送信して、本処理を終了する。
【０１７６】
ステップＳ１７０２では、操作端末制御部２０６は、第１タッチパネル２００と第２タッチパネル２０２との両方がタッチされたかどうかを判定する。両方ともタッチされたと判定された場合には、処理はステップＳ１７０３に進む。
【０１７７】
いずれかのタッチパネルがタッチされなかったと判定された場合には、処理はステップＳ１７０１に戻り、印刷開始もしくはタッチパネルにタッチされたかどうかが繰り返し判定される。
【０１７８】
ステップＳ１７０３では、操作端末制御部２０６は、第１タッチパネル２００上のタッチされた座標値及び第２タッチパネル２０２上のタッチされた座標値を取得する。次にステップＳ１７０４では、操作端末制御部２０６は、上記ステップＳ１７０３にて取得された座標値とは別の座標においてスワイプ操作を開始したかどうかを判定する。これについては、図１６（ｂ）及び図１８を用いて説明する。
【０１７９】
図１８は、図１６（ｂ）に示す操作でタッチした各タッチパネル上の座標を示す図である。上記のステップＳ１７０３において、操作端末制御部２０６は、図１８に示すように、左手の親指で第１タッチパネル２００にタッチした際の座標１８０１と、左手の人差し指で第２タッチパネル２０２にタッチした際の座標１８０２とを取得する。その後、操作端末制御部２０６は、右手の人差し指で第１タッチパネル２００をスワイプした際のスワイプ開始座標１８０３を検出し、この人差し指の移動を検知した際に、処理はステップＳ１７０４からステップＳ１７０５に進む。
【０１８０】
スワイプ開始座標１８０３が第１タッチパネル２００上である場合には表面スワイプ、第２タッチパネル２０２上である場合には裏面スワイプとなる。またスワイプ開始座標１８０３が検出されないもしくは検出されたが所定距離以上移動しないと判定された場合には、操作端末制御部２０６はステップＳ１７０４の処理を繰り返す。
【０１８１】
ステップＳ１７０５では、操作端末制御部２０６は、右手の人差し指による第１タッチパネル２００上のスワイプ操作が終了したかどうかを判定する。ここでは図１８に示したように右手の人差し指で第１タッチパネル２００上のスワイプ終了座標１８０４にてタッチ操作が終了したかどうか、すなわち指が離れたかどうかを判定する。スワイプ操作が終了したと判定された場合には、ステップＳ１７０６にて座標１８０３と１８０４とから右手の人差し指でのスワイプ操作の軌跡情報を検出する。
【０１８２】
次にステップＳ１７０７にて上記スワイプ操作の軌跡情報から正しいスワイプ操作であるかどうかを判定する。スワイプ操作が正しいと判定された場合には、処理はステップＳ１７０８に進む。
【０１８３】
ステップＳ１７０８では、上記スワイプ操作が操作端末１００の表面でされたかどうかを判定する。ステップＳ１７０４乃至ステップＳ１７０６にて検出されたスワイプ操作の軌跡から、第１タッチパネル２００上のスワイプ操作、即ち表面スワイプであると判定された場合に、ステップＳ１７０９に進む。また、第２タッチパネル２０２上のスワイプ操作であると判定された場合には、ステップＳ１７１０に進む。
【０１８４】
ステップＳ１７０９では、右手の人差し指によるスワイプ操作が表面スワイプ操作であるため、操作端末制御部２０６は、図１６（ｄ）に示したような谷折り処理確認ウィンドウ１６０２を表示する。一方、ステップＳ１７１０では、右手の人差し指によるスワイプ操作が裏面スワイプ操作であるため、操作端末制御部２０６は、図１６（ｆ）に示したような山折り処理確認ウィンドウ１６０５を表示する。
【０１８５】
次にステップＳ１７１１では、操作端末制御部２０６は、谷折り処理確認ウィンドウ１６０２又は山折り処理確認ウィンドウ１６０５の「はい」ボタン１６０３又は１６０６がタッチされたか否かを判定する。「はい」ボタンがタッチされたと判定された場合には、処理はステップＳ１７１２に進む。「いいえ」ボタン１６０４又は１６０７がタッチされたと判定した場合には、処理はステップＳ１７０１に戻る。
【０１８６】
ステップＳ１７１２では、中折り処理が決定されたため谷折り／山折りを含む中折り情報を無線通信回線２１２を介してＭＦＰ１０１のＭＦＰ制御部２３０に送信する。その後、操作端末制御部２０６は、処理をステップＳ１７０１に戻す。
【０１８７】
またステップＳ１７０７において、例えばスワイプ操作中に左手での把持動作が解除された等、スワイプ操作が正しくないと判定された場合には、ステップＳ１７１３においてユーザに対して警告を発する。警告方法としては、操作端末１００に設置されたスピーカー（不図示）によって警告音を出してもよいし、液晶ディスプレイ２０４上に警告情報を表示してもよいし、上記両方を行ってもよい。
【０１８８】
次に、ＭＦＰ１０２のＭＦＰ制御部２３０における処理について説明する。図１７Ｂに示すように、ステップＳ１７１４では、印刷開始指示を操作端末１００から受信したかどうか判定する。印刷開始指示を受け取ったと判定された場合には、ＭＦＰ制御部２３０は、ステップＳ１７１５にて印刷動作を開始するために、プリンタ部２２９に対して印刷要求を送信する。
【０１８９】
ステップＳ１７１５では、プリンタ部２２９は、メモリ２２７に格納された画像処理済みの画像データをメモリ制御部２２６を介して読み出し、印刷する。この時、レイアウト情報に応じて、搬送される用紙の向き及び用紙に対する画像の向きを制御して印刷する。これは、マルチフィニッシャー１５０１内の用紙折り部１５０２で実行できる折り方向に制約があり、設定された折り方向の通りに中折り処理を行うために、用紙もしくは印刷される画像の向きを変える必要があるためである。
【０１９０】
次にステップＳ１７１６ではすでに説明したように用紙折り部１５０２において中折り処理を行う。全ての印刷用紙に対して中折り処理を完了した場合に本処理を終了する。
【０１９１】
以上のように第５の実施形態では、液晶ディスプレイ２０４上にプレビュー表示された画像に対し、端末１００に搭載された第１タッチパネル２００及び第２タッチパネル２０２上に対して所定の操作を行うことで、直感的に中折り処理を設定できる。
【０１９２】
なお、上記の説明では中折り処理指定方法として左手親指・人差し指及び右手人差し指で操作する例を示したが、他の指で操作してもよい。
【０１９３】
［第６の実施形態］
次に、本発明の第６の実施の形態にかかる画像形成装置の操作端末について説明する。第６の実施形態では、図１５に示す構成が第５の実施の形態と同じであり、同様の部分については、同一の符号を用いてその説明を省略する。
【０１９４】
第６の実施形態における中綴じ処理の設定方法について、タッチパネル方式の操作端末１００を使用して直感的に操作する概念について説明する。
【０１９５】
図１９（ａ）〜（ｆ）に第６の実施形態における操作方法を示す。図１９（ａ）は、操作端末１００の液晶ディスプレイ２０４上に表示されたプレビュー画面４０１を示す。この場合、例えば操作端末１００より予め２枚の原稿用紙を１枚の用紙に左右に並べて印刷する２−Ｕｐコピーを行うように設定し、原稿をスキャナ部２２３より取り込んだものとする。プレビュー画面４０１上には２−Ｕｐレイアウトされた画像が表示されている。
【０１９６】
図１９（ａ）に表示された画像を印刷した用紙に対して中綴じ処理を行いたい場合には、図１９（ｂ）に示すように両手の人差し指で操作端末１００の第２タッチパネル２０２にタッチし、且つ両手の親指で第１タッチパネル２００にタッチする。更にタッチした両手の親指を同時に第１タッチパネル２００上で下から上方向にスワイプ操作を行うことで、谷折り処理を指定する。
【０１９７】
なお、第６の実施形態で使用される第１タッチパネル２００及び第２タッチパネル２０２は共にマルチタッチが可能なタッチパネルである。両手の親指でのスワイプ操作を行うと、図１９（ｃ）に示すようにプレビュー画面４０１上に谷折り効果を示す谷折り線１９０１が表示される。更に図１９（ｄ）に示すように引き続き中綴じ処理をするかどうかを確認する中綴じ処理確認ウィンドウ１９０２が表示される。中綴じ処理確認ウィンドウ１９０２には、「はい」ボタン１９０３と「いいえ」ボタン１９０４と、ソートボタン１９０５とが表示される。
【０１９８】
「はい」ボタン１９０３にタッチした場合に、中折り処理をしつつ用紙に対して中綴じ処理が行われる。「いいえ」ボタン１９０４にタッチした場合に、中折り処理のみが行われる。ソートボタン１９０５にタッチした場合に、中綴じ処理用にプレビューされた印刷用紙の順番を並び替えつつ中折り・中綴じ処理が行われる。
【０１９９】
ここで中綴じとは、図２０（ａ）に示すように中折りした複数の用紙の背の部分をステープル２００１で綴じることを指す。また図２０（ｂ）は液晶ディスプレイ２０４上にディスプレイされた裏面（背側）からステープルで綴じた印刷用紙のプレビュー画面を示す。
【０２００】
また、図１９（ｅ）に示すように両手の親指を上から下方向にスワイプすることで、山折り処理が指定される。この場合、図１９（ｆ）に示すようにプレビュー画面４０１上に山折り効果を示す山折り線１９０６が表示され、中綴じ処理確認ウィンドウ１９０２が表示される。
【０２０１】
以上のように第６の実施形態では、表裏面のタッチパネルを用いて両手の裏面をタッチし同時に両手の表面を同時にスワイプすることで、直感的な分かりやすい操作で中折り処理及び中綴じ処理を設定できる。
【０２０２】
第６の実施形態における中綴じ処理設定方法を実施した場合の操作端末１００及びＭＦＰ１０１の動作処理について、図２１Ａ及び図２１Ｂを用いて説明する。図２１Ａは、第６の実施形態の操作端末１００における中綴じ設定処理を示すフローチャートである。本処理は、操作端末制御部２０６内のＣＰＵによって実行される。図２１Ｂは、図２１Ａに示す処理に対応するＭＦＰ１０１における印刷処理及び中綴じ処理を示すフローチャートである。本処理は、ＭＦＰ制御部２３０内のＣＰＵによって実行される。
【０２０３】
なお、ＭＦＰ１０１との間のプレビュー画面設定処理（ステップＳ５０１〜ステップＳ５０５）については第１の実施形態と同一であるため説明を割愛する。また、本処理は、第１及び第２タッチパネルの両方を使用した操作に対して実行されるものであり、第１及び第２タッチパネルのいずれかのみ使用した場合の処理については、その説明を割愛する。
【０２０４】
ステップＳ２１０１では、操作端末制御部２０６は、印刷開始が指示されたかどうかを判定する。印刷開始が指示されたと判定された場合、中綴じ処理を設定しないと判断して、ステップＳ２１０１ａに進む。一方、印刷開始が指示されていないと判定した場合、ステップＳ２１０２に進む。
【０２０５】
ステップＳ２１０１ａでは、操作端末制御部２０６は、ネットワーク通信部２１０により無線通信回線２１２を介してＭＦＰ１０１に印刷開始指示を送信して、本処理を終了する。
【０２０６】
ステップＳ２１０２では、操作端末制御部２０６は、第２タッチパネル２０２がマルチタッチされたかどうかを判定する。第２タッチパネル２０２がマルチタッチされなかった場合、処理は再度ステップＳ２１０１に戻る。第２タッチパネル２０２がマルチタッチされたと判定した場合には、処理はステップＳ２１０３に進む。
【０２０７】
次にステップＳ２１０３では、第１タッチパネル２００がマルチタッチされたかどうかを判定する。第１タッチパネル２００がマルチタッチされなかったと判定した場合には、処理は再度ステップＳ２１０１に戻る。第１タッチパネル２００がマルチタッチされたと判定した場合には、処理はステップＳ２１０４に進む。
【０２０８】
次にステップＳ２１０４では、第１タッチパネル２００上で図１９（ｂ）もしくは図１９（ｅ）で示したようなスワイプ操作を開始したかどうかを判定する。スワイプ操作を開始したと判定した場合には処理はステップＳ２１０５に進む。
【０２０９】
ステップＳ２１０５では、第１タッチパネル２００上で図１９（ｂ）もしくは図１９（ｅ）で示したようなスワイプ操作を終了したかどうかを判定する。スワイプ操作を終了したと判定した場合には処理はステップＳ２１０６に進む。
【０２１０】
ステップＳ２０１６では、両手の親指でのスワイプ操作の軌跡情報を検出する。
【０２１１】
上記一連の判定について、図２２を用いて説明する。図２２は、図１９（ｂ）で説明したスワイプ操作について各指でタッチされた座標を示す図である。操作端末制御部２０６は、左手の人差し指で第２タッチパネル２０２にタッチした際の座標２２０１と、右手の人差し指で第２タッチパネル２０２にタッチした際の座標２２０２とを検出した場合に、ステップＳ２１０２からステップＳ２１０３に処理を進める。
【０２１２】
その後、操作端末制御部２０６が、左手の親指で第１タッチパネル２００にタッチしスワイプした際の座標２２０３と、右手の親指で第１タッチパネル２００にタッチしスワイプした際の座標２２０４とが検出されたと判定する。その場合に、ステップＳ２１０３からステップＳ２１０４に処理を進める。操作端末制御部２０６は、座標２２０３の座標値の移動開始及び座標２００４の座標値の移動開始を検出したと判定した場合に、ステップＳ２１０４からステップＳ２１０５に処理を進める。また、操作端末制御部２０６は、座標２２０３の座標値の変位停止及び座標２１０４の座標値の変位停止を検出したと判定した場合に、ステップＳ２１０５からステップＳ２１０６に処理を進める。
【０２１３】
次にステップＳ２１０７では上記スワイプ操作の軌跡情報から正しいスワイプ操作であるかどうかを判定する。正しいスワイプ操作であると判定された場合には、処理はステップＳ２１０８に進む。
【０２１４】
ステップＳ２１０８では、上記スワイプ操作が谷折りスワイプ操作であったかどうかを判定する。ステップＳ２１０６で検出したスワイプ軌跡情報によって、図１９（ｂ）で示したような動作をしたと判定された場合には処理はステップＳ２１１０に進む。またステップＳ２１０６で検出したスワイプ軌跡情報によって、図１９（ｅ）で示したような動作をしたと判定された場合には処理はステップＳ２１１１に進む。
【０２１５】
ステップＳ２１１０では、操作端末制御部２０６は、図１９（ｃ）に示したような谷折り線１９０１を液晶ディスプレイ２０４上に表示する。またステップＳ２１１１では、図１９（ｅ）に示したような山折り線１９０６を液晶ディスプレイ２０４上に表示する。
【０２１６】
次に、ステップＳ２１１２では図１９（ｄ）もしくは図１９（ｆ）で示した中綴じ処理確認ウィンドウ１９０２を液晶ディスプレイ２０４上に表示する。
【０２１７】
ステップＳ２１１３では、操作端末制御部２０６は、上記中綴じ処理確認ウィンドウ１９０２内の「はい」ボタン１９０３がタッチされたかどうかを判定する。「はい」ボタン１９０３がタッチされたと判定した場合には、操作端末制御部２０６は、処理をステップＳ２１１４に進めて中綴じ設定情報を作成し、さらにステップＳ２１１７へ処理を進める。
【０２１８】
また、ソートボタン１９０５がタッチされたと判定された場合には、操作端末制御部２０６は、処理をステップＳ２１１６に進め、用紙並び替え中綴じ設定情報を作成し、さらにステップＳ２１１７へ処理を進める。
【０２１９】
更に、「いいえ」ボタン１９０４がタッチされたと判定された場合には、操作端末制御部２０６は、処理をステップＳ２１１５ａに進め、中折り情報を作成し、ステップＳ２１１７に処理を進める。
【０２２０】
ステップＳ２１１７では、上記ステップＳ２１１４、ステップＳ２１１６、又はステップＳ２１１５ａで作成された中綴じ処理情報、中折り処理情報を無線通信回線２１２を介してＭＦＰ１０１のＭＦＰ制御部２３０に送信する。その後、操作端末制御部２０６は、処理をステップＳ２１０１に戻す。
【０２２１】
また、ステップＳ２１０７で、例えば図１９（ｂ）や図１９（ｅ）で説明した両手の親指による第１タッチパネル上のスワイプ中に、両手の人差し指による第２タッチパネル上の保持動作が解除された等、スワイプが正しく行われなかったと判定されたとする。その場合、ステップ２１０９においてユーザーに対して警告を発する。警告方法としては、操作端末１００に設置されたスピーカー（不図示）によって警告音を出してもよいし、液晶ディスプレイ２０４上に警告情報を表示してもよいし、上記両方を行ってもよい。
【０２２２】
次に、ＭＦＰ１０２のＭＦＰ制御部２３０における処理について説明する。図２１Ｂに示すように、ステップＳ２１１８では、印刷開始指示を操作端末１００から受信したかどうか判定する。印刷開始指示を受け取ったと判定された場合には、ＭＦＰ制御部２３０は、ステップＳ２１１９にて印刷動作を開始するために、プリンタ部２２７に対して印刷要求を送信する。
【０２２３】
ステップＳ２１１９では、プリンタ部２２９は、メモリ２２７に格納された画像処理済みの画像データをメモリ制御部２２６を介して読み出し、印刷する。この時、レイアウト情報に応じて、搬送される用紙の向き及び用紙に対する画像の向きを制御して印刷を行う。これは、マルチフィニッシャー１５０１内の用紙折り部１５０２で実行できる用紙折り方向に制約があり、設定された折り方向の通りに中折り処理を行うために、用紙もしくは印刷される画像の向きを変える必要があるためである。
【０２２４】
次にステップＳ２１２０ではすでに説明したように用紙折り部１５０２において中折り処理もしくは中折り処理と中綴じ処理とを行う。全ての印刷用紙に対して中折り・中綴じ処理を完了した場合に本処理を終了する。
【０２２５】
以上のように第６の実施形態では、ユーザは、液晶ディスプレイ２０４上にプレビュー表示された画像に対し、端末１００に搭載された第１タッチパネル２００及び第２タッチパネル２０２に対して所定の操作を行う。それによって、直感的に中折り処理及び中綴じ処理を設定できる。
【０２２６】
なお、上記の説明では中綴じ処理設定方法として両手の親指及び人差し指で操作する例を最も自然な操作方法として示したが、他の指で操作してもよい。
【０２２７】
［第７の実施形態］
次に、本発明の第７の実施の形態にかかる画像形成装置の操作端末について説明する。第７の実施形態では、上記第５及び第６の実施形態と同一の構成において、第５及び第６の実施形態とは異なる中折り処理設定方法を提供する。
【０２２８】
第７の実施形態における、中折り処理の設定方法について、タッチパネル方式の操作端末１００を使用して直感的に操作する概念について説明する。
【０２２９】
図１９（ａ）に表示された画像を印刷した用紙に対して中折り処理を行いたい場合には、図１９（ｂ）に示した設定操作もしくは図１９（ｅ）に示した設定操作のいずれかを行う。
【０２３０】
第７の実施形態の操作端末１００は、上記のいずれかの中折り処理設定操作を行った後、図２３に示すように液晶ディスプレイ２０４のプレビュー画面の上に中折り処理確認ウィンドウ２３０１を表示する。
【０２３１】
中折り処理確認ウィンドウ２３０１内には、谷折りボタン２３０２、山折りボタン２３０３及び「いいえ」ボタン２３０４が表示される。
【０２３２】
中折り処理確認ウィンドウ２３０１内の谷折りボタン２３０２を指でタッチした場合には、用紙谷折り処理が確定する。また、山折りボタン２３０３を指でタッチした場合には、用紙山折り処理設定が確定する。「いいえ」ボタン２３０４を指でタッチした場合には、用紙折り処理設定がクリアされる。
【０２３３】
以上のように第７実施形態では表裏面のタッチパネルを用いて一方の手によって同時にタッチし且つ他方の手でスワイプ操作を行うことで、直感的なわかりやすい操作で中折り処理を設定できる。
【０２３４】
第７実施形態における中折り処理設定方法を実施形態した場合の動作処理について、図２４のフローチャートを用いて説明する。図２４に示されるフローチャートは、第６の実施形態において図２１Ａに示すフローチャートの内、ステップＳ２１０８及びステップＳ２１１０〜Ｓ２１１６の部分を、ステップＳ２４０１〜Ｓ２４０６に置き換えて構成されている。よって、以下、置き換えられた部分のみを説明する。
【０２３５】
操作制御部２０６は、ステップＳ２１０７において正しいスワイプ操作であると判定された場合、ステップＳ２４０１に処理を進める。ステップＳ２４０１では、図２３に示した中折り処理確認ウィンドウ２３０１が液晶ディスプレイ２０４上に表示される。
【０２３６】
次にステップＳ２４０２では、操作制御部２０６は、中折り処理確認ウィンドウ２３０１内の谷折りボタン２３０２にユーザがタッチしたかどうか判定する。谷折りボタン２３０２にタッチしたと判定された場合には、操作制御部２０６は、処理をステップＳ２４０３に進め、谷折り処理設定情報を作成する。
【０２３７】
谷折りボタン２３０２にタッチされなかったと判定された場合、操作制御部２０６は、ステップＳ２４０４で山折りボタン２３０３にタッチしたかどうか判定する。山折りボタン２３０３にタッチしたと判定された場合には、操作制御部２０６は、処理をステップＳ２４０５に進め、山折り処理設定情報を作成する。
【０２３８】
また谷折りボタン２３０２も山折りボタン２３０３もタッチされず、「いいえ」ボタン２３０４にタッチしたと判定された場合には、操作制御部２０６は、処理をＳ２４０６に進め、中折り処理キャンセル情報を作成する。各情報作成ステップ（Ｓ２４０３、Ｓ２４０５及びＳ２４０６）において各情報を作成後、操作制御部２０６は、処理をステップＳ２１１７に進め、作成された情報を無線通信回線２１２を介してＭＦＰ１０１のＭＦＰ制御部２３０に送信する。その後、操作端末制御部２０６は、処理をステップＳ２１０１に戻す。
【０２３９】
以上のように第７の実施形態では、液晶ディスプレイ２０４上にプレビューされた画像に対し、端末１００に搭載された第１タッチパネル２００及び第２タッチパネル２０２に対して所定の操作を行うことで、直感的に中折り処理設定画面へ移行できる。
【０２４０】
なお、第７の実施形態では中折り処理設定方法として両手の親指及び人差し指で操作する例を最も自然な操作方法として示したが、他の指で操作してもよい。
【０２４１】
［第８の実施形態］
次に、本発明の第８の実施の形態にかかる画像形成装置の操作端末について説明する。第８の実施形態では、図１５に示す構成が第５の実施形態と同じであり、同様の部分については同一の符号を用いてその説明を省略する。
【０２４２】
第８の実施形態における、パンチ穴開け処理設定方法について、タッチパネル方式の操作端末１００を使用して直感的に操作する概念について説明する。
【０２４３】
図２５（ａ）〜（ｄ）に第８の実施形態における操作方法を示す。図２５（ａ）は、操作端末１００の液晶ディスプレイ２０４上に表示されたプレビュー画面４０１を示す。この場合、例えば操作端末１００より予め２枚の原稿用紙を１枚の用紙に左右に並べて印刷する２−Ｕｐコピーを行うように設定し、原稿をスキャナ部２２３より取り込んだものとする。プレビュー画面４０１上には２−Ｕｐレイアウトされた画像が表示されている。図２５（ｂ）に示すように、プレビュー画面４０１で示される用紙の左側にパンチ穴を開けたい場合には、以下の手順で操作端末１００を操作する。図２５（ｃ）に示すようにまず左手の親指及び人差し指で座標２５０２おいて、操作端末１００の第１タッチパネル２００と第２タッチパネル２０２に対して同時にタッチする。続いて、別の座標２５０３おいて、再度操作端末１００の第１タッチパネル２００と第２タッチパネル２０２に対して同時にタッチする。これにより、パンチ穴開けを設定する。
【０２４４】
図２５（ｄ）は、パンチ穴開け処理設定操作を行った後の液晶ディスプレイ２０４上の画面例である。この画面では、パンチ穴を開ける位置にパンチ穴のイメージ２５０４が表示され、このイメージプ２５０４で表された位置にパンチ穴開け処理をしてもよいかどうかを確認するためのパンチ穴開け処理確認ウィンドウ２５０５が表示されている。パンチ穴開け処理確認ウィンドウ２５０５には、「はい」ボタン２５０６と「いいえ」ボタン２５０７とが表示されている。「はい」ボタン２５０６を指でタッチした場合に、パンチ穴イメージ２５０４で示された位置にパンチ穴開け処理が設定される。「いいえ」ボタン２５０７を指でタッチした場合に、パンチ穴開け処理設定はクリアされる。いずれの場合も、タッチ後にパンチ穴開け処理確認ウィンドウ２５０５は消去される。
【０２４５】
以上のように第８の実施形態では、表裏面のタッチパネルに対して同時タッチを２回することで、タッチされた箇所に対して直感的な分かりやすい操作でパンチ穴開け位置を設定できる。
【０２４６】
第８の実施形態におけるパンチ穴開け処理設定方法を実施した場合の操作端末１００及びＭＦＰ１０１の動作処理について、図２６Ａ及び図２６Ｂを用いて説明する。図２６Ａは、第８の実施形態の操作端末１００におけるパンチ穴開け設定処理を示すフローチャートである。本処理は、操作端末制御部２０６内のＣＰＵによって実行される。図２６Ｂは、図２６Ａに示す処理に対応するＭＦＰ１０１における印刷処理及びパンチ穴開け処理を示すフローチャートである。本処理は、ＭＦＰ制御部２３０内のＣＰＵによって実行される。
【０２４７】
なお、ＭＦＰ１０１との間のプレビュー画面設定処理（ステップＳ５０１〜ステップＳ５０５）については第１の実施形態と同一であるため説明を割愛する。また、本処理は、第１タッチパネル及び第２タッチパネルの両方を使用した操作に対して実行されるものであり、第１又は第２タッチパネルのみ使用した場合の処理については、その説明を割愛する。
【０２４８】
ステップＳ２６０１では、操作端末制御部２０６は、印刷開始が指定されたかどうかを判定する。印刷開始が指示されたと判定した場合、パンチ穴開け処理を設定しないと判断して、ステップＳ２６０１ａに進む。一方、印刷開始が指定されなかったと判定した場合、ステップＳ２６０２に進む。
【０２４９】
ステップＳ２６０１ａでは、操作端末制御部２０６は、ネットワーク通信部２１０により無線通信回線２１２を介してＭＦＰ１０１に印刷開始指示を送信して、本処理を終了する。
【０２５０】
ステップＳ２６０２では、第１タッチパネル２００と第２タッチパネル２０２との両方がタッチされたかどうかを判定する。両方ともタッチされたと判定された場合、処理はステップＳ２６０３に進む。
【０２５１】
いずれかのタッチパネルがタッチされなかったと判定された場合には、処理はステップＳ２６０１に戻り、印刷開始もしくはタッチパネルにタッチされたかどうかが繰り返し判定される。
【０２５２】
ステップＳ２６０３では、ステップＳ２６０２にてタッチされた第１タッチパネル２００及び第２タッチパネル２０２上のタッチ位置(第１の座標)の座標値をそれぞれ取得する。
【０２５３】
次にステップＳ２６０４では、ステップＳ２６０２及びステップＳ２６０３にて座標値が取得されてから、所定時間経過したかどうかを判定する。所定期間内に、表裏面タッチパネルに２回同時にタッチした場合にはパンチ穴開け処理を設定し、所定時間内に表裏面タッチパネルに１回だけ同時にタッチした場合には第１及び第２の実施形態で説明したステープル処理を設定する。
【０２５４】
例えば所定時間を０．５秒とした場合で且つ、例えばステップＳ２６０４からステップＳ２６０５でＮｏと判定され再度ステップＳ２６０４の判定に戻るまでのループ時間が０．０１秒であるとする。その場合、上記ループ判定を５０回繰り返すまでに表裏面タッチパネルに同時にタッチすれば処理はステップＳ２６０８に進む。
【０２５５】
ステップＳ２６０４にて、０．５秒内に２回目の表裏面タッチパネル同時タッチが行われなかったと判定された場合には、処理はステップＳ２６０６に進む。
【０２５６】
ステップＳ２６０６では、液晶ディスプレイ２０４上にステープル設定するかどうかを確認するための図４（ｃ）に示したようなステープル綴じ位置確認ウィンドウ４０４を表示する。
【０２５７】
次にステップＳ２６０７では、上記ステープル綴じ位置確認ウィンドウ４０４にて「いいえ」ボタンにタッチされたと判定された場合、処理はステップＳ２６０１に戻る。
【０２５８】
ステープル綴じ位置確認ウィンドウ４０４にて「はい」ボタンにタッチされたと判定された場合には、ステープル綴じ設定処理に進む。例えば、図５（ａ）のステップＳ５１１に進む。なお、第８の実施の形態は、パンチ穴開け処理の設定が主題であるため、ステープル綴じ位置設定処理については説明を割愛する。
【０２５９】
一方、所定時間内に表裏面タッチパネルに２回同時にタッチしたと判定された場合、操作端末制御部２０６は、ステップＳ２６０８の処理を実行する。Ｓ２６０８で、ステップＳ２６０５で判定された２回目の同時タッチの際の表裏面タッチパネル上のタッチ位置(第２の座標)の座標値をそれぞれ取得する。
【０２６０】
次にステップＳ２６０９では、操作端末制御部２０６は、正しいパンチ穴開け設定のための操作がなされたかどうかを判定する。ここで正しいパンチ穴開け設定について図２７を用いて説明する。第８の実施形態で説明するマルチフィニッシャー１５０１内のパンチ穴開け部１５０３でパンチ穴開けが可能な位置は、複数存在する。具体的には、図２７（ａ）に示された液晶ディスプレイ２０４上のプレビュー画面内の左パンチ穴開け位置２７０２、下パンチ穴開け位置２７０４、右パンチ穴開け位置２７０６及び上パンチ穴開け位置２７０８である。この時正しいパンチ穴開け設定可能領域は図２７（ａ）に示された左パンチ穴設定領域２７０１、下パンチ穴設定領域２７０３、右パンチ穴設定領域２７０５及び上パンチ穴設定領域２７０７である。図２６（ａ）のステップＳ２６０３及びステップＳ２６０８にて取得された各座標値が全て上記の領域のいずれか一つに含まれていれば正しいパンチ穴開け設定のための操作が行われたと判定する。
【０２６１】
表裏面同時タッチ操作が正しいか正しくないかの判定について説明する。図２７（ｂ）〜（ｄ）は、下パンチ穴設定領域２７０３に対して表裏面同時タッチ操作を行った例を示すが、他の領域においても判定は同じである。
【０２６２】
図２７（ｂ）に示す例では、第１タッチパネル２００へのタッチ位置の座標２７０９と第２タッチパネル２０２へのタッチ位置の座標２７１０とが共に下パンチ穴設定領域２７０３に含まれているため、正しいタッチ操作であると判定される。図２７（ｃ）に示す例では、第１タッチパネル２００へのタッチ位置の座標２７０９が下パンチ穴設定領域２７０３の外側にあるため、正しくないタッチ操作であると判定される。
【０２６３】
図２７（ｄ）に示す例では、表裏面へのタッチによる座標２７０９，２７１０が共に下パンチ穴設定領域２７０３に含まれている。しかし、第１タッチパネルへのタッチ位置の座標２７０９と第２タッチパネルへのタッチ位置の座標２７１０との距離Ｌ２７５０が所定の値より大きいため、同一座標への同時タッチとは認められず、正しくないタッチ操作であると判定される。
【０２６４】
以上のような基準に従って、ステップＳ２６０９にて正しいパンチ穴開け設定であると判定された場合には、処理はステップＳ２６１０に進む。
【０２６５】
ステップＳ２６１０では、図２５（ｄ）に示すパンチ穴開け位置確認ウィンドウ２５０５が表示され、処理はステップＳ２６１１に進む。ステップＳ２６１１では、パンチ穴開け位置確認ウィンドウ２５０５上で「はい」ボタン２５０６と「いいえ」ボタン２５０７とのいずれにユーザがタッチしたかを判定する。「はい」ボタン２５０６にタッチしたと判定した場合に、パンチ穴開け処理が許可されたとして、処理はステップＳ２６１２に進む。一方、「いいえ」ボタン２５０７にタッチしたと判定した場合には、パンチ穴開け処理が許可されなかったとして、処理はステップＳ２６０１に戻る。
【０２６６】
ステップＳ２６１２では、ステップＳ２６０３、Ｓ２６０８で取得された座標値に応じて作成されたパンチ穴開け処理情報を無線通信回線２１２を介してＭＦＰ１０１のＭＦＰ制御部２３０に送信する。その後、操作端末制御部２０６は、処理をステップＳ１７０１に戻す。
【０２６７】
また、ステップＳ２６０９において正しいパンチ穴開け設定ではないと判定された場合には、ステップＳ２６１３においてユーザに対して警告を発する。警告方法としては、操作端末１００に設置されたスピーカー（不図示）によって警告音を出してもよいし、液晶ディスプレイ２０４上に警告情報を表示してもよいし、上記両方を行ってもよい。
【０２６８】
次に、ＭＦＰ１０２のＭＦＰ制御部２３０における処理について説明する。図２６Ｂに示すように、ステップＳ２６１４では印刷開始指示を操作端末１００から受信したかどうかを判定する。印刷開始指示を受け取ったと判定された場合には、ＭＦＰ制御部２３０は、ステップＳ２６１５にて印刷動作を開始するために、プリンタ部２２９に対して印刷要求を送信する。
【０２６９】
ステップＳ２６１５では、プリンタ部２２９は、メモリ２２７に格納された画像処理済みの画像データをメモリ制御部２２６を介して読み出し、印刷する。この時、レイアウト情報に応じて、搬送される用紙の向き及び用紙に対する画像の向きを制御して印刷する。これは、マルチフィニッシャー１５０１内のパンチ穴開け部１５０３で実行できるパンチ穴開け方向に制約があるため、設定されたパンチ穴開け方向の通りにパンチ穴開け処理を行うために用紙もしくは印刷される画像の向きを変える必要があるためである。
【０２７０】
次にステップＳ２６１６ではパンチ穴開け部１５０３においてパンチ穴開け処理を行う。全ての印刷用紙に対してパンチ穴開け処理を完了した場合に処理を終了する。
【０２７１】
以上のように第８の実施形態では、液晶ディスプレイ２０４上にプレビュー表示された画像に対し、端末１００に搭載された第１タッチパネル２００及び第２タッチパネル２０２に対して所定の操作を行うことで、直感的にパンチ穴開け処理を設定できる。
【０２７２】
なお、第８の実施形態ではパンチ穴開け処理設定方法として両手の親指及び人差し指で操作する例を示最も自然な操作方法として示したが、他の指で操作してもよい。
【０２７３】
［第９の実施形態］
次に、本発明の第９の実施の形態にかかる画像形成装置の操作端末について説明する。第９の実施形態では、第８の実施形態と同一の構成において、第８の実施形態とは異なるパンチ穴開け処理設定方法を提供する。
【０２７４】
第９の実施形態における、パンチ穴開け処理の設定方法についてタッチパネル方式の操作端末１００を使用して直感的に操作する概念について説明する。
【０２７５】
図２８（ａ）に表示された画像を印刷した用紙に対してパンチ穴開け処理を行いたい場合には、次のような操作を行う。例えば図２８（ｂ）に示したように左手の親指及び人差し指で、操作端末１００の第１タッチパネル２００及び第２タッチパネル２０２に対して表裏面タッチパネルに同時タッチ操作を行う。次に上記表裏面タッチパネルに同時タッチとは異なる座標に対して再び表裏面タッチパネルに同時タッチ操作を行う。
【０２７６】
表裏面タッチパネルに２回同時タッチ操作を行うと、図２８（ｃ）に示すように、液晶ディスプレイ２０４上にパンチ穴開け位置設定用ウィンドウ２８０１が表示される。パンチ穴開け位置設定用ウィンドウ２８０１には、左開けボタン２８０２、下開けボタン２８０３、右開けボタン２８０４、上開けボタン２８０５及びキャンセルボタン２８０６が表示される。
【０２７７】
ここで、ボタン２８０２〜２８０５のいずれかを指でタッチした場合は、タッチしたボタンに指定される位置にパンチ穴開け処理が設定される。また、キャンセルボタン２８０６を指でタッチした場合はパンチ穴開け設定はクリアされる。いずれの場合も、ボタンタッチ後にパンチ穴開け位置設定用ウィンドウ２８０１は消去される。
【０２７８】
以上のように第９の実施形態では、表裏面のタッチパネルに対して２回同時にタッチすることで、タッチされた箇所に対して直感的な分かりやすい操作でパンチ穴開け位置を設定できる。
【０２７９】
第９の実施形態におけるパンチ穴開け処理設定方法を実施した場合の動作シーケンスについて、図２９のフローチャートを用いて説明する。図２９に示されるフローチャートは、第８の実施形態において図２６Ａに示すフローチャートの内、ステップＳ２６０９〜Ｓ２６１１の部分を、ステップＳ２９０１〜Ｓ２９１０に置き換えて構成されている。よって、以下、置き換えられた部分のみを説明する。
【０２８０】
操作制御部２０６は、ステップＳ２６０８において２回目の表裏面タッチパネルへの同時タッチ操作が行われた際の座標値を取得した後、ステップＳ２９０１に処理を進める。
【０２８１】
ステップＳ２９０１では、図２８に示したパンチ穴開け位置設定用ウィンドウ２８０１が液晶ディスプレイ２０４上に表示される。
【０２８２】
次にステップＳ２９０２では、操作制御部２０６は、パンチ穴開け位置設定用ウィンドウ２８０１内の左開けボタン２８０２にユーザがタッチしたかどうかを判定する。左開けボタン２８０２にタッチしたと判定された場合には、操作制御部２０６は、処理をステップＳ２９０３に進め、左パンチ穴開け設定情報を作成する。
【０２８３】
また左開けボタン２８０２にタッチされず、下開けボタン２８０３にタッチしたと判定された場合には、操作制御部２０６は、処理をステップＳ２９０５に進め、下パンチ穴開け設定情報を作成する。
【０２８４】
また左開けボタン２８０２も下開けボタン２８０３もタッチされず、右開けボタン２８０４にタッチしたと判定された場合には、操作制御部２０６は、処理をステップＳ２９０７に進め、右パンチ穴開け設定情報を作成する。
【０２８５】
また左開けボタン２８０２も下開けボタン２８０３も右開けボタン２８０４もタッチされず、上開けボタン２８０５にタッチしたと判定された場合には、操作制御部２０６は、処理をステップＳ２９０９に進め、上パンチ穴開け設定情報を作成する。
【０２８６】
また、ボタン２８０２〜２８０５が選択されず、キャンセルボタン２８０６にタッチした場合には、操作制御部２０６は、処理をステップＳ２９１０に進め、パンチ穴開け処理キャンセル情報を作成する。
【０２８７】
各情報作成ステップ（Ｓ２９０３、Ｓ２９０５、Ｓ２９０７、Ｓ２９０９もしくはＳ２９１０）において各情報を作成後、操作制御部２０６は、処理をステップＳ２６１２に進める。そして、作成された情報を無線通信回線２１２を介してＭＦＰ１０１のＭＦＰ制御部２３０に送信する。その後、操作端末制御部２０６は、処理をステップＳ２１０１に戻す。
【０２８８】
以上のように第９の実施形態では、液晶ディスプレイ２０４上にプレビューされた画像に対し、端末１００に搭載された第１タッチパネル２００及び第２タッチパネル２０２に対して所定の操作を行うことで、直感的にパンチ穴開け処理設定画面へ移行できる。
【０２８９】
なお、第９の実施形態ではパンチ穴開け処理設定方法として両手の親指及び人差し指で操作する例を最も自然な操作方法として示したが、他の指で操作してもよい。
【０２９０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０２９１】
１００  操作端末
１０１  ＭＦＰ
１０２  製本装置
１０３  仕分け装置
２００  第１タッチパネル
２０２  第２タッチパネル
２０４  液晶ディスプレイ
２０６  操作端末制御部
２３０  ＭＦＰ制御部
【図１】
2014096141.tif 000003
【図２】
2014096141.tif 000004
【図３】
2014096141.tif 000005
【図４】
2014096141.tif 000006
【図５Ａ】
2014096141.tif 000007
【図５Ｂ】
2014096141.tif 000008
【図６】
2014096141.tif 000009
【図７】
2014096141.tif 000010
【図８】
2014096141.tif 000011
【図９】
2014096141.tif 000012
【図１０】
2014096141.tif 000013
【図１１Ａ】
2014096141.tif 000014
【図１１Ｂ】
2014096141.tif 000015
【図１２】
2014096141.tif 000016
【図１３】
2014096141.tif 000017
【図１４】
2014096141.tif 000018
【図１５】
2014096141.tif 000019
【図１６】
2014096141.tif 000020
【図１７Ａ】
2014096141.tif 000021
【図１７Ｂ】
2014096141.tif 000022
【図１８】
2014096141.tif 000023
【図１９】
2014096141.tif 000024
【図２０】
2014096141.tif 000025
【図２１Ａ】
2014096141.tif 000026
【図２１Ｂ】
2014096141.tif 000027
【図２２】
2014096141.tif 000028
【図２３】
2014096141.tif 000029
【図２４】
2014096141.tif 000030
【図２５】
2014096141.tif 000031
【図２６Ａ】
2014096141.tif 000032
【図２６Ｂ】
2014096141.tif 000033
【図２７】
2014096141.tif 000034
【図２８】
2014096141.tif 000035
【図２９】
2014096141.tif 000036